(57)【要約】【課題】優れた集光機能と優れた耐擦傷性との両方を有した光学シートを提供する。【解決手段】光学シート４０は、シート状の本体部４５と、本体部の一方の面４６上に設けられた少なくとも三個以上の第１単位形状要素５０と、本体部の一方の面上に配列された複数の第２単位形状要素５５と、を備える。各第２単位形状要素は本体部のシート面上の一方向と平行に延びる。第１単位形状要素の一方の面からの高さＨ１は、第２単位形状要素の一方の面からの高さＨ２よりも高い。一方の面への法線方向ｎｄから観察した場合に、一方の面上において第１単位形状要素が占めている領域の割合は、１０．０％以下である。【選択図】図２
2011180574.tif 000002
【特許請求の範囲】
【請求項１】
シート状の本体部と、
前記本体部の一方の面上に設けられた少なくとも三個以上の第１単位形状要素と、
前記本体部の前記一方の面上に配列され、各々が前記本体部のシート面上の一方向と平行に延びる、複数の第２単位形状要素と、を備え、
前記第１単位形状要素の前記一方の面からの高さは、前記第２単位形状要素の前記一方の面からの高さよりも高く、
前記一方の面への法線方向から観察した場合に、前記一方の面上において前記第１単位形状要素が占めている領域の割合は、１０．０％以下である、
ことを特徴とする光学シート。
【請求項２】
前記第１単位形状要素は、前記本体部のシート面への法線方向と平行であり且つ前記一方向と直交する断面において、楕円の一部分または円の一部分に相当する形状を含んでいる、
ことを特徴とする請求項１に記載の光学シート。
【請求項３】
前記本体部のシート面への法線方向と平行であり且つ前記一方向と直交する断面において、前記第２単位形状要素は三角形形状となっている、
ことを特徴とする請求項１または２に記載の光学シート。
【請求項４】
前記第１単位形状要素は、回転楕円体の一部に相当する形状または球の一部に相当する形状を有する、
ことを特徴とする請求項１〜３のいずれか一項に記載の光学シート。
【請求項５】
光源と、
前記光源からの光を受ける請求項１〜４のいずれか一項に記載の光学シートと、を備える、
ことを特徴とする面光源装置。
【請求項６】
前記光学シートの出光側に配置された偏光分離フィルムをさらに備える、
ことを特徴とする請求項５に記載の面光源装置。
【請求項７】
透過型表示部と、
前記透過型表示部に対向して配置された請求項５または６に記載の面光源装置と、を備える、
ことを特徴とする透過型表示装置。
【発明の詳細な説明】
【技術分野】
【０００１】
本発明は、優れた集光機能と優れた耐擦傷性を有した光学シートに関する。また、本発明は、このような光学シートを有する面光源装置および透過型表示装置に関する。
【背景技術】
【０００２】
透過型表示装置に用いられる面光源装置は、光源と、光源からの光の進行方向を変化させるための多数の光学シート（光学フィルム）と、を有している。例えば特許文献１の図１に開示されているように、多くの場合、複数の光学シートの中には、光源からの光を拡散させて光源の像を隠す（目立たなくさせる）光拡散シートと、光の進行方向を正面方向へ絞り込み正面方向輝度を向上させる機能（集光機能）を有した集光シートと、が含まれている。
【０００３】
このうち、集光シートとしては、線状に延びる単位形状要素（単位光学要素）をその長手方向に直交する方向に配列（いわゆるリニア配列）してなる光学シートが多く用いられている。単位形状要素は、通常、その長手方向には稜線部（線状に延在する頂部）を有し、又、長手方向に直交する断面においては、三角形形状、楕円形または円形の一部分に相当する形状を有している。
【０００４】
線状に延びる単位形状要素を有した光学シートは、透過型表示装置に組み込まれた際に、他の光学シート等の他の部材と重ねて配置された状態となる。また、透過型表示装置に組み込まれる前の光学シートは、最終的な大きさに切断された枚葉状の部材として多数重ね合わされた状態で、あるいは、最終的な大きさに切断される前のウェブ状の部材として巻き取られた状態で、取り扱われること（例えば、輸送されること）がある。このような状態下において、光学シートの単位形状要素は稜線部の線状に延びる狭い領域において局所的に他の部材に接触している。このため、表示装置や光学シートの取り扱い時に生じるわずかな振動や外力等によって、稜線部に応力が集中して、単位形状要素が変形してしまうこともある。
【０００５】
とりわけ、光学シート単体での輸送時または光学シートを他の部材と共に組み込んでなる表示装置の輸送時には、隣接する光学シート同士（あるいは、隣接する光学シートおよび他の部材）が、互いに押圧された状態下で、位置ずれが繰り返し生じることがある。そして結果として、光学シートの単位形状要素が形成されている側の面に、目視され得る程度の擦れ痕が生じてしまうこともある。このような不具合は、優れた集光機能を発揮し得る断面三角形形状の単位形状要素（単位プリズム）において、特に顕著に生じる。
【先行技術文献】
【特許文献】
【０００６】
【特許文献１】特開２００８−７０４５６号公報
【発明の概要】
【発明が解決しようとする課題】
【０００７】
ところで、特許文献１に開示された光学シートにおいては、三角柱プリズム形状の各単位形状要素の斜面上に、当該斜面を部分的に膨出させることによって、半球状の曲面レンズを設けることが開示されている。とりわけ、特許文献１の図４および図９（ｃ）には、断面三角形形状の頂部を覆うようにして半球状の曲面１２Ｇを形成することも開示されている。このような曲面１２Ｇを設けることによれば、変形しやすい断面三角形形状の単位形状要素の頂部が光学シートに隣接する部材に直接接触することを防止し、これにより、光学シートの対接触性を向上させることができる可能性がある。
【０００８】
ただし、特許文献１によれば、この曲面により光学シートに光拡散機能を付与することができるとされている。特許文献１の段落００３６，００５９，００６０等における記載からすると、特許文献１では、単位形状要素（プリズム体）の断面三角形形状からなる部分の光学機能（主として集光機能）と、曲面を設けられた部分の光学機能（主として光拡散機能）と、がそれぞれ単独で機能することのみについて言及されている。すなわち、特許文献１に開示された技術では、断面三角形形状からなる部分の光学機能と、曲面を設けられた部分の光学機能と、の相乗効果を期待することはできない。
【０００９】
而かも、特許文献１では、突出した曲面は、三角柱形状の各単位形状要素に対し、当該単位形状要素の延在方向に配列されている。其の為、該曲面が突出した部分では、三角柱の斜面による集光機能が阻害される。又、該半球状の曲面についても三角柱によって其の一部分を削り取られた形になる為、其の光拡散機能が低減する。即ち、ＪＰ２００８−７０４５６Ａに開示された開示の光学シートは、集光機能と光拡散機能とを有するものの、集光機能は完全な三角柱プリズムリニアアレイには及ば無いとともに、光拡散機能も半球状曲面のみを配列した所謂蠅の目レンズ（フライアイレンズ）には及ば無いものである。従って、集光機能と光拡散機能とのいずれを重視するかで、各単位形状要素の表面上における、突出した曲面が占める割合を調節することになる。すなわち、特許文献１での開示内容からすれば、突出した曲面を設けることによって、断面三角形形状からなる単位形状要素（プリズム単体）の集光機能を低下し、この結果、正面方向輝度が低下してしまうことになる。したがって、特許文献１の光学シートでは、耐擦傷性を向上させることができるかもしれないが、その分、集光機能を犠牲にしてしまうことになる。
【００１０】
本発明は、このような点を考慮してなされたものであり、適度な光拡散性を具備した上で、優れた集光機能と優れた耐擦傷性との両方を有した光学シートを提供することを目的とする。また、本発明は、優れた正面方向輝度が確保され、且つ、組み込まれた部材間の接触に起因した不具合が効果的に抑制され得る面光源装置および透過型表示装置を提供することを目的とする。
【課題を解決するための手段】
【００１１】
本発明による第１の光学シートは、
シート状の本体部と、
前記本体部の一方の面上に設けられた少なくとも三個以上の第１単位形状要素と、
前記本体部の前記一方の面上に配列され、各々が前記本体部のシート面上の一方向と平行に延びる、複数の第２単位形状要素と、を備え、
前記第１単位形状要素の前記一方の面からの高さは、前記第２単位形状要素の前記一方の面からの高さよりも高く、前記一方の面への法線方向から観察した場合に、前記一方の面上において前記第１単位形状要素が占めている領域の割合は、１０．０％以下である。
【００１２】
本発明による第１の光学シートにおいて、前記第１単位形状要素は前記本体部の前記一方の面上に規則的な配列で設けられていてもよい。このような本発明による第１の光学シートにおいて、前記本体部の前記一方の面上において前記第１単位形状要素が一定のピッチで配列されている方向のうちの最短ピッチでの配列方向は、前記一方向に直交する前記第２単位形状要素の配列方向と交差していてもよい。また、このような本発明による第１の光学シートにおいて、前記本体部の前記一方の面上において前記第１単位形状要素が一定のピッチで配列されている複数の方向は、すべて、前記一方向に直交する前記第２単位形状要素の配列方向と交差していてもよい。
【００１３】
あるいは、本発明による第１の光学シートにおいて、前記第１単位形状要素は、前記本体部の前記一方の面上に不規則な配列で設けられていてもよい。このような本発明による第１の光学シートにおいて、前記複数の第１単位形状要素の配置位置は、前記本体部の前記一方の面上に規則的な配列で位置決めされた基準点の位置から別の第１単位形状要素と接触乃至交叉しないようにずらされた位置にそれぞれ決定されもよいし、或いは、一部の第１単位形状要素の配置位置が前記基準点の位置に決定されるとともに、その他の第１単位形状要素の配置位置が前記基準点の位置から別の第１単位形状要素と接触乃至交叉しないようにずらされた位置に決定されていてもよい。このような本発明による第１の光学シートにおいて、前記本体部の前記一方の面上において前記基準点が一定のピッチで配列されている方向のうちの最短ピッチでの配列方向は、前記一方向に直交する前記第２単位形状要素の配列方向と交差していてもよい。また、このような本発明による第１の光学シートにおいて、前記本体部の前記一方の面上において前記基準点が一定のピッチで配列されている複数の方向は、すべて、前記一方向に直交する前記第２単位形状要素の配列方向と交差していてもよい。
【００１４】
本発明による第２の光学シートは、
シート状の本体部と、
前記本体部の一方の面上に配列された複数の第１単位形状要素と、
前記本体部の前記一方の面上に配列され、前記本体部のシート面上の一方向と平行に延びる複数の第２単位形状要素と、を備え、
前記第１単位形状要素は前記本体部の前記一方の面上に規則的な配列で設けられ、
前記本体部の前記一方の面上において前記第１単位形状要素が一定のピッチで配列されている方向のうちの最短ピッチでの配列方向は、前記一方向に直交する前記第２単位形状要素の配列方向と交差している。
【００１５】
本発明による第２の光学シートにおいて、前記本体部の前記一方の面上において前記第１単位形状要素が一定のピッチで配列されている複数の方向は、すべて、前記一方向に直交する前記第２単位形状要素の配列方向と交差していてもよい。
【００１６】
本発明による第３の光学シートは、
シート状の本体部と、
前記本体部の一方の面上に配列された複数の第１単位形状要素と、
前記本体部の前記一方の面上に配列され、前記本体部のシート面上の一方向と平行に延びる複数の第２単位形状要素と、を備え、
前記複数の第１単位形状要素の前記一方の面上における配置位置は、前記本体部の前記一方の面上に規則的な配列で位置決めされた基準点の位置から別の第１単位形状要素と接触乃至交叉しないようにずらされた位置にそれぞれ決定されている、或いは、一部の第１単位形状要素の配置位置が前記基準点の位置に決定されるとともに、その他の第１単位形状要素の配置位置が前記基準点の位置から別の第１単位形状要素と接触乃至交叉しないようにずらされた位置に決定されている。
【００１７】
本発明による第３の光学シートにおいて、前記本体部の前記一方の面上において前記基準点が一定のピッチで配列されている方向のうちの最短ピッチでの配列方向は、前記一方向に直交する前記第２単位形状要素の配列方向と交差していてもよい。
【００１８】
また、本発明による第３の光学シートにおいて、前記本体部の前記一方の面上において前記基準点が一定のピッチで配列されている複数の方向は、すべて、前記一方向に直交する前記第２単位形状要素の配列方向と交差していてもよい。
【００１９】
本発明による第１〜第３のいずれかの光学シートにおいて、前記第１単位形状要素は、前記本体部の前記一方の面上に、隙間を空けて配列され、前記第２単位形状要素は、前記本体部の前記一方の面上のうちの前記第１単位形状要素の間に配置されていてもよい。
【００２０】
また、本発明による第１〜第３のいずれかの光学シートにおいて、前記第２単位形状要素は、前記一方の面上のうち前記第１単位形状要素が設けられていない領域に設けられるようにしてもよい。
【００２１】
さらに、本発明による第１〜第３のいずれかの光学シートにおいて、前記本体部の前記一方の面のうちの一部の領域が前記第１単位形状要素によって覆われ、前記本体部の前記一方の面のうちの前記一部の領域以外のその他の全領域が、前記第２単位形状要素によって覆われていてもよい。
【００２２】
さらに、本発明による第１〜第３のいずれかの光学シートにおいて、前記本体部のシート面への法線方向と平行な断面において、前記第１単位形状要素は、楕円の一部分または円の一部分に相当する形状を有してもよい。
【００２３】
さらに、本発明による第１〜第３のいずれかの光学シートにおいて、前記本体部のシート面への法線方向と平行であり且つ前記一方向と直交する断面において、前記第１単位形状要素は楕円の一部分または円の一部分に相当する形状を有し且つ前記第１単位形状要素の前記一方の面に沿った幅は前記第１単位形状要素の前記高さ以上の長さとなっていてもよい。
【００２４】
さらに、本発明による第１〜第３のいずれかの光学シートにおいて、前記第１単位形状要素は、前記本体部のシート面への法線方向と平行であり且つ前記一方向と直交する断面において、楕円の一部分または円の一部分に相当する形状を含んでいてもよい。
【００２５】
さらに、本発明による第１〜第３のいずれかの光学シートにおいて、前記本体部のシート面への法線方向と平行であり且つ前記一方向と直交する断面において、前記第２単位形状要素は三角形形状となっていてもよい。
【００２６】
さらに、本発明による第１〜第３のいずれかの光学シートにおいて、前記第１単位形状要素は、回転楕円体の一部に相当する形状または球の一部に相当する形状を有していてもよい。
【００２７】
さらに、本発明による第１〜第３のいずれかの光学シートにおいて、ある一つの第１単位形状要素と、前記本体部の前記シート面に沿って当該一つの第１単位形状要素に最も近接して配置された他の第１単位形状要素と、の間の前記本体部の前記シート面に沿った離間間隔の平均を表す第１単位形状要素の平均最小間隔が、前記本体部の前記シート面上における前記一方向へ直交する方向への前記第２単位形状要素の配列ピッチ以上であるようにしてもよい。このような本発明による光学シートにおいて、前記複数の第１単位形状要素は、前記本体部のシート面上の第１方向に沿って一定のピッチで配列されているとともに、前記本体部のシート面上の第２方向に沿っても前記一定のピッチで配列されており、前記第１方向は、前記一方向に対して直交しており、且つ、前記第２方向に対して６０°傾斜していてもよい。あるいは、このような本発明による光学シートにおいて、前記第１単位形状要素は、前記本体部の前記一方の面上にランダムに配置されていてもよい。
【００２８】
本発明の一態様による面光源装置は、光源と、上述した本発明による第１〜第３の光学シートのいずれかであって前記光源からの光を受ける光学シートと、を備える。
【００２９】
本発明の一態様による面光源装置が、断面三角形形状の複数の単位形状要素を有する集光シートをさらに備えるようにしてもよい。
【００３０】
また、本発明の一態様による面光源装置が、前記光学シートの出光側に配置された偏光分離フィルムをさらに備えるようにしてもよい。
【００３１】
本発明の一態様による透過型表示装置は、透過型表示部と、上述した本発明の一態様による面光源装置のいずれかであって前記透過型表示部に対向して配置された面光源装置と、を備える。
【００３２】
本発明の一態様による透過型表示装置において、
前記光学シートの前記本体部は延伸フィルムを含み、
前記透過型表示部は、下偏光板と、前記下偏光板よりも出光側に配置された上偏光板と、を有し、
前記延伸フィルムの延伸軸と前記下偏光板の偏光軸とによってなされる角度の絶対値が、０°より大きく５０°以下となるように、前記透過型表示部と前記面光源装置とが位置決めされていてもよい。
さらには、このような透過型表示装置において、前記延伸フィルムの前記延伸軸と前記下偏光板の前記偏光軸とによってなされる角度の絶対値が２０°以上４５°以下となるように、前記透過型表示部と前記面光源装置とが位置決めされていてもよい。
【発明の効果】
【００３３】
本発明によれば、優れた集光機能と優れた耐擦傷性との両方を光学シートに付与することができる。
【図面の簡単な説明】
【００３４】
【図１】図１は、本発明による一実施の形態を説明するための図であって、透過型表示装置および面光源装置の概略構成を示す断面図である。
【図２】図２は、図１の面光源装置に組み込まれた光学シートを出光側から示す平面図である。
【図３】図３は、図２の光学シートの作用を説明するための図であって、図２のＩＩＩ−ＩＩＩ線に沿った光学シートの断面図である。
【図４】図４は、図３に対応する断面において、図２の光学シートに含まれる単位形状要素の作用を説明するための図である。
【図５】図５は、光学シートの製造方法および光学シートの成型装置を説明するための模式図である。
【図６】図６は、図５の成型装置に組み込まれた成型用型を模式的に示す斜視図である。
【図７】図７は、光学シートの成型方法を説明するための断面図である。
【図８】図８は、図２に対応する図であって、光学シートの一変形例を示す図である。
【図９】図９は、図２に対応する図であって、光学シートの他の変形例を示す図である。
【図１０】図１０は、図２に対応する図であって、光学シートのさらに他の変形例を示す図である。
【図１１】図１１は、図２に対応する図であって、光学シートのさらに別の変形例を示す図である。
【図１２】図１２は、光学シートに含まれる第２単位形状要素の変形例を示す断面である。
【図１３】図１３は、図１に対応する図であって、実施例および比較例に係る透過型表示装置の構成を説明するための図である。
【図１４】図１４は、充填率と正面方向輝度との関係を調査したシミュレーション結果を示すグラフである。
【図１５】図１５は、光学シートに含まれる延伸フィルムの延伸軸と下偏光板の透過軸とによってなされる角度と、下偏光板の出光面での正面方向輝度と、の関係を調査した結果を示すグラフである。
【図１６】図１６は、光学シートに含まれる延伸フィルムの延伸軸と下偏光板の透過軸とによってなされる角度と、下偏光板の出光面での正面方向輝度と、の関係を調査した結果を示すグラフである。
【発明を実施するための形態】
【００３５】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００３６】
図１乃至図７は本発明による一実施の形態を説明するための図である。このうち図１は、透過型表示装置および面光源装置の概略構成を示す断面図であり、図２は、光学シートの上面図であり、図３および図４は光学シートのシート面への法線方向に沿った断面図である。
【００３７】
図１に示された透過型表示装置１０は、透過型表示部１５と、透過型表示部１５の背面側（画像観察者側とは反対側）に配置され透過型表示部１５を背面側から面状に照らす面光源装置２０と、を備えている。透過型表示部１５は、例えば、液晶表示パネル（ＬＣＤパネル）から構成され、この場合、透過型表示装置１０は液晶表示装置として機能する。ここでＬＣＤパネルとは、ガラス等からなる一対の支持板と、支持板間に配置された液晶（層）と、液晶分子の配向を一つの画素を形成する領域毎に電場によって制御する電極と、を有するパネルである。支持板間の液晶は、一つの画素を形成する領域毎にその配列を変化させられ得るようになっている。この結果、液晶表示パネル１５は、面光源装置２０からの均一な面内輝度分布の面状光を画素毎に透過させるか又は遮断することによって画像を形成するシャッターとして、機能するようになる。
【００３８】
一方、面光源装置２０は、図１に示すように、光源２５と、光源２５からの光をその進行方向を偏向して透過させる光学シート４０と、光学シート４０の出光側に配置された偏光分離フィルム３５と、を有している。また、光学シート４０の入光側には、光を拡散させる光拡散シート３８が設けられている。面光源装置２０は、例えばエッジライト（サイドライト）型等の種々の形態で構成され得るが、本実施の形態においては、直下型のバックライトユニットとして構成されている。このため、光源２５は光学シート４０の入光側において光学シート４０と対面するようにして配置されている。また、光源２５は、光学シート４０の側に開口部（窓）を形成された箱状の反射板２８によって背面側から覆われている。
【００３９】
なお、「出光側」とは、進行方向を折り返されることなく光源２５から光学シート４０等を経て観察者へ向かう光の進行方向における下流側（観察者側、図１、図３および図４においては上側）のことであり、「入光側」とは、進行方向を折り返されることなく光源２５から光学シート４０等を経て観察者へ向かう光の進行方向における上流側のことである（光源側）。
【００４０】
また、「シート」、「フィルム」、「板」の用語は、呼称の違いのみに基づいて、互いから区別されるものではない。したがって、例えば、「シート」はフィルムや板とも呼ばれ得るような部材も含む概念である。
【００４１】
さらに、「シート面（フィルム面、板面）」とは、対象となるシート状の部材を全体的かつ大局的に見た場合において対象となるシート状部材の平面方向と一致する面のことを指す。そして、本実施の形態においては、光学シート４０のシート面、偏光分離フィルム３５のフィルム面、光拡散シート３８のシート面、面光源装置１５の発光面、および、透過型表示装置１０の表示面は、互いに平行となっている。さらに、「正面方向」とは、光学シート４０のシート面に対する法線の方向ｎｄ（図３参照）であり、また、面光源装置２０の発光面の法線方向等にも一致する。
【００４２】
光源２５は、例えば、線状の冷陰極管等の蛍光灯や、点状のＬＥＤ（発光ダイオード）や白熱電球、面状のＥＬ（電場発光体）等の種々の態様で構成され得る。本実施の形態においては、図１および図３（二点鎖線）に示すように、光源２５は、線状に延びる複数の冷陰極管を有している。反射板２８は、光源２５からの光を光学シート４０側へ向けるための部材であり、反射板２８の少なくとも内側表面は、例えば金属等の高い反射率を有する材料からなっている。
【００４３】
偏光分離フィルム３５は、入射光の偏光状態に基づいて、入射光のうち特定の偏光成分を透過させるとともに、その他の偏光成分を反射して再び光源側へ戻す機能を有したシート状部材である。輝度の向上に役立ち得る偏光分離フィルム３５として、米国３Ｍ社から入手可能な「ＤＢＥＦ」（登録商標）を用いることができる。また、「ＤＢＥＦ」以外にも、韓国Shinwha Intertek社から入手可能な高輝度偏光シート「ＷＲＰＳ」や、あるいは、ワイヤーグリッド偏光子等を、偏光分離フィルム３５として用いることができる。
【００４４】
光拡散シート３８は、入射光を拡散させ、好ましくは入射光を等方拡散させ、光源２５の構成に応じた輝度ムラ（光源の像、管ムラとも云う）を緩和し、輝度の面内分布を均一化させるためのシート状部材である。このような光拡散シート３８として、基部と、基部内に分散され光拡散機能を有した光拡散性粒子と、を含むシートが用いられ得る。一例として、反射率の高い材料から光拡散性粒子を構成することにより、あるいは、基部をなす材料とは異なる屈折率を有する材料から光拡散性粒子を構成することにより、光拡散性粒子に、光拡散機能を付与することができる。
【００４５】
次に、光学シート４０について説明する。
【００４６】
図２および図３に示すように、光学シート４０は、シート状の本体４５と、シート状の本体部４５の一方の面４６上に設けられた少なくとも三個以上のフライアイレンズ（蠅の目レンズ）を構成する第１単位形状要素（点状単位形状要素、第１単位光学要素）５０と、シート状の本体部４５の一方の面４６上に配列されシート面上の一方向に延びた多数の第２単位形状要素（線状単位形状要素、第２単位光学要素）５５と、を有している。図２に示すように、第１単位形状要素５０は、本体部４５の一方の面４６上に隙間を空けて配列されている。一方、第２単位形状要素５５は、本体部４５の一方の面４６上のうちの第１単位形状要素５０の間に配置されている。そして、本実施の形態においては、本体部４５の一方の面４６の全領域が、第１単位形状要素５０および第２単位形状要素５５によって覆われている。さらに詳細には、本体部４５の一方の面４６のうちの一部の領域が第１単位形状要素５０によって覆われ、本体部４５の一方の面４６のうちの前記一部の領域以外のその他の全領域が、第２単位形状要素５５によって覆われている。このような第１単位形状要素５０および第２単位形状要素５５の配置によれば、光学シート４０へ入射した光が、光学的作用を及ぼされることなく、光学シート４０の出光面から出射すること、いわゆる「素抜け」を防止することができる。
【００４７】
本実施の形態においては、図３および図４に示すように、本体部４５は、前記一方の面４６に対向する他方の面４７として、光学シート４０の入光面４１をなす平滑な面を有している。なお、「平滑」とは、光学的な意味合いでの平滑を意味するものである。すなわち、ここでは、或る程度の割合の可視光が、光学シート４０の入光面４１（本体部４５の他方の面４７）において散乱することなくスネルの法則を満たしながら屈折するようになる程度を意味している。したがって、例えば、本体部４５の他方の面４７（光学シート４０の入光面４１）の十点平均粗さＲｚ（ＪＩＳＢ０６０１）が最短の可視光波長（０．３８μｍ）以下となっていれば、十分、平滑に該当する。
【００４８】
次に、第１単位形状要素５０について説明する。複数の第１単位形状要素５０は、本体部４５の一方の面４６上に二次元配列されている。複数の第１単位形状要素５０には、その配置中心５１によって本体部４５の一方の面４６上に三角形を画定するようになる三つの第１単位形状要素が、少なくとも含まれている。すなわち、三つの第１単位形状要素５０のうちの二つは、図２に示す如く、その配置中心位置５１が一方の面４６上におけるある一つの方向に沿ってずれるように、配置されており、且つ、他の組み合わせからなる二つの第１単位形状要素は、その配置中心位置５１が一方の面上において前記一つの方向と交差する他の方向に沿ってずれるように、配置されている。
【００４９】
一例として、図２に示す態様では、多数の第１単位形状要素５０が、本体部４５の一方の面４６上に規則的に配列されている。図２に示す例において、多数の第１単位形状要素５０の平面内における配列は、各第１単位形状要素５０の面４６上への射影に相当する合同な円を、最密に平面充填した構造から各円同士を引き離した配列を以って、本体部４５の一方の面４６上に配列されている。即ち、一つの第１単位形状要素５０が、等間隔を空けて円周状に６回対称に配置された六つの第１単位形状要素５０によって周囲から取り囲まれるようになっている。これは所謂結晶に於ける二次元の六方最密充填構造から各単位形状要素を引き離した配列に対応する。言い換えると、多数の第１単位形状要素５０は、６０°の角度で互いに対して傾斜した本体部４５の一方の面４６上の異なる二つの方向に、共通の一定ピッチで、配列されている。つまり、図２に示すように、多数の第１単位形状要素５０は、本体部４５のシート面上の第１方向ｄ１に沿って一定のピッチで配列されているとともに、本体部４５のシート面上の第２方向ｄ２及び第３方向ｄ３に沿っても一定のピッチで配列されており、この第１方向ｄ１と第２方向ｄ２及び第１方向ｄ１と第３方向ｄ３とは互いに対して６０°の角度だけ傾斜している。さらに言い換えると、本体部４５の一方の面４６上において、最も近接した三つの第１単位形状要素５０の配置中心５１が、本体部４５の一方の面４６上で、正三角形の頂点上にそれぞれ位置するように、多数の第１単位形状要素５０が配列されている。
【００５０】
なお、図２に図示する例においては、光学シート４０のシート面への法線方向ｎｄから観察した場合に、各光源２５の長手方向ｄａと、第１単位形状要素５０の配列方向の一つｄ１が、直交するようになっている。
【００５１】
また、本実施の形態において、各第１単位形状要素５０の出光面は、曲面によって形成されている。したがって、図３に示すように、光学シート４０のシート面への法線方向ｎｄに平行である断面において、各第１単位形状要素５０の出光面の外輪郭は、曲線によって構成されるようになる。とりわけ本実施の形態では、図３に示すように、光学シート４０のシート面への法線方向ｎｄに平行である断面において、各第１単位形状要素５０は、出光側に突出する円の一部分または出光側に突出する楕円の一部分に相当する形状を有している。さらに詳細には、各第１単位形状要素５０は、回転楕円体の一部に相当する形状または球体の一部に相当する形状を有する単位レンズとして、形成されている。さらに、本体部４５のシート面への法線方向ｎｄと平行な断面であって且つ第２単位形状要素５５の配列方向と平行な断面（以下において、「主切断面」とも呼ぶ）、すなわち、図３および図４に示す断面において、本体部４５の一方の面４６に沿った第１単位形状要素５０の幅Ｗ１は、法線方向ｎｄに沿った一方の面４６からの第１単位形状要素５０の高さＨ１以上の長さとなっている（すなわち、Ｗ１≧Ｈ１）。この結果、図３および図４に示されているように、光学シート４０の主切断面において、第１単位形状要素５０の頂部付近における輪郭は、法線方向ｎｄに対して、大きく傾斜するようになる。
【００５２】
なお、曲面からなる出光面を有した第１単位形状要素５０の断面形状が楕円の一部分に相当する場合、正面方向を中心として対称的な輝度の角度分布を確保するという観点から、当該断面楕円形状の長軸または短軸のいずれかが光学シート４０のシート面への法線方向（つまり、正面方向）ｎｄと平行に延びていることが好ましい。
【００５３】
第１単位形状要素５０の具体例として、本体部４５の一方の面４６上における第１単位形状要素５０の配置ピッチＰ１（図２参照）を１０μｍ〜４００μｍとすることができる。また、本体部４５の一方の面４６上での第１単位形状要素５０の配列方向に沿った、第１単位形状要素５０の底面の幅Ｗ１（図２参照）を１０μｍ〜２００μｍとすることができる。さらに、光学シート４０のシート面への法線方向ｎｄに沿った本体部４５の一方の面４６からの第１単位形状要素５０の突出高さＨ１（図４参照）を５μｍ〜１００μｍとすることができる。なお、図示する例において、多数の第１単位形状要素５０は互いに同一に構成されている。
【００５４】
なお、本実施の形態においては、光学シート４０の法線方向ｎｄに沿って単位形状要素５０，５５が設けられている側から光学シート４０を観察した場合に本体部４５の一方の面４６上において第１単位形状要素５０が占めている領域の割合（以下において、単に「充填率」とも呼ぶ）が、１０．０％以下となるように、当該一方の面４６上に設けられている。この充填率は、言い換えると、第１単位形状要素５０の出光側面のうちの第２単位形状要素５５によって覆われていない部分を、光学シート４０の法線方向ｎｄに沿って一方の面４６へ投影した領域の、一方の面４６に対する面積比に相当する。
【００５５】
第１単位形状要素５０の配置ピッチＰ１、幅Ｗ１および高さＨ１等は、この充填率の条件を満たすように設定される。実際の充填率の特定においては、例えば顕微鏡により観察された光学シート４０の出光面上の一区画であって、第１単位形状要素５０の配置ピッチＰ１や幅Ｗ１等を考慮した上で全体の充填率を反映し得ると期待される面積を持つ一区画（例えば、上述の寸法例で構成された第１単位形状要素を含む光学シートにおいては、１０ｍｍ×１０ｍｍの部分）についての充填率を算出し、算出された値を当該光学シートの充填率として取り扱うようにしてもよい。
【００５６】
次に、第２単位形状要素５５について説明する。多数の第２単位形状要素５５は、リニアアレイプリズム部を構成するようになっている。本実施の形態においては、図２に示すように、各第２単位形状要素５５は、本体部４５のシート面に平行な一方向に直線状に延びている。且つ、多数の第２単位形状要素５５は、其の延びる方向（前記一方向）に直交する他方向に隙間無く並べて配列されている。なお、図示する例においては、光学シート４０のシート面への法線方向ｎｄから観察した場合に、第２単位形状要素５５は、第１単位形状要素５０の一つの配列方向ｄ１に直交して、各光源２５の長手方向ｄａと平行に延びている。
【００５７】
本実施の形態においては、図３および図４に示すように、主切断面（第２単位形状要素５５の配列方向に平行であるとともに光学シート４０のシート面への法線方向ｎｄにも平行である断面）において、各第２単位形状要素５５は、多角形形状、とりわけ出光側に突出する三角形形状となっている。すなわち、各第２単位形状要素５５はいわゆる三角柱の単位プリズムとして形成されている。そして、正面方向輝度を集中的に向上させるという観点からは、当該断面形状がとりわけ二等辺三角形形状であるとともに、等辺の間に位置する頂角が本体部４５の一方の面４６から出光側に突出するように、各第２単位形状要素５５が構成されていることが好ましい。
【００５８】
図示した具体例では、本体部４５の一方の面４６上での第２単位形状要素５５の配列方向に沿った、第２単位形状要素５５の底面の幅Ｗ２（図４参照）が、本体部４５の一方の面４６上での第２単位形状要素５５の配列方向に沿った第１単位形状要素５０の幅Ｗ１よりも小さくなっている。第２単位形状要素５５の具体例として、本体部４５の一方の面４６上での第２単位形状要素５５の配列方向に沿った、第２単位形状要素５５の底面の幅Ｗ２（図４参照）を１μｍ〜２００μｍとすることができる。また、光学シート４０のシート面への法線方向ｎｄに沿った本体部４５の一方の面４６からの第２単位形状要素５５の突出高さＨ２（図４参照）を０．５μｍ〜５０μｍとすることができる。なお、図示する例において、多数の第２単位形状要素５５は互いに同一に構成されている。さらに、第２単位形状要素５５の断面形状が二等辺三角形状である場合には、正面方向輝度を集中的に向上させる観点から、等辺の間に位置するとともに出光側に突出する頂角の角度θ（図４参照）が、８０°以上１２０°以下となっていることが好ましく、９０°であればさらに好ましい。
【００５９】
なお、本明細書における「三角形形状」とは、厳密な意味での三角形形状のみでなく、製造技術における限界や成型時の誤差等を含む略三角形形状や、三角形形状と同様の光学的機能を期待することが可能な略三角形形状など、例えば、三角形の頂点が丸くなっている形状や、三角形の頭部が切断されている形状（截頭三角形）等を含む。同様に、本明細書において用いる、その他の形状や幾何学的条件を特定する用語、例えば、「円」、「楕円」、「平行」、「直交」、「多角形形状」等の用語も、厳密な意味に縛られることなく、同様の光学的機能を期待し得る程度の誤差を含めて解釈することとする。
【００６０】
以上のような構成によれば、第１単位形状要素５０を本体部４５の一方の面４６と平行な面に投影した形状(底面形状)は、第２単位形状要素の如くの線状に延びた柱状体では無く、円、楕円、三角形、四角形、六角形等に代表される様な、該面内に於ける広がりが限定された有界な閉曲線、多角形等の形状をなす。斯かる幾何学形状の第１単位形状要素５０を、本体部４５の一方の面４６上に充填率１０％以下に配置した結果、第１単位形状要素５０の該面上での配列形態は、丁度、蝿の目レンズ（フライアイレンズ）に於いて各単位レンズ同士（単位形状要素同士）の間隔を広げて、各単位レンズ間に間隙を設けたような配列となる。斯かる間隙に第２単位形状要素５５が埋め込まれる。第２単位形状要素５５の方は、第１単位形状要素５０に当接して分断される以外は、本体部４５の一方の面４６上に於いて、一端から他端に向かって連続的に延びて存在（延在）している。
【００６１】
ところで、図３および図４に示すように、光学シート４０のシート面への法線方向ｎｄに沿った本体部４５の一方の面４６からの第２単位形状要素５５の突出高さＨ２は、光学シート４０のシート面への法線方向ｎｄに沿った本体部４５の一方の面４６からの第１単位形状要素５０の突出高さＨ１よりも低くなっている。この結果、本体部４５の一方の面４６上において、各第２単位形状要素５５は、第１単位形状要素５０によって分断されており、第２単位形状要素５５の長手方向に沿って隣り合う二つの第１単位形状要素５０の間を延びている。
【００６２】
従来技術の欄で説明したように、一般的に、光学シートは、透過型表示装置に組み込まれる前、透過型表示装置に組み込まれる際の大きさの部材として多数重ね合わされた状態で、あるいは、透過型表示装置に組み込まれる際の大きさに切断される前のウェブ状の部材として巻き取られた状態で、取り扱われる、例えば輸送される。また、光学シートは、他の部材と重ね合わされて面光源装置（透過表示装置）に組み込まれ、この面光源装置（透過表示装置）として、取り扱われる、例えば輸送される。この際、第２単位形状要素５５のように主切断面における断面形状が三角形であり尖端を有した単位形状要素（単位プリズム）は、他の部材と小領域において局所的に接触するようになる。この結果、単位形状要素の頂部に擦れ痕が形成される、さらには、単位形状要素の頂部に変形が生じるといった、光学シートが表示装置に組み込まれた際に観察者に視認され得るようになる欠陥が、生じることもあった。
【００６３】
一方、本実施の形態では、第２単位形状要素５５の本体部４５からの高さＨ２は、円形または楕円形の一部に相当する断面形状を有した第１単位形状要素５０の本体部４５からの高さＨ１よりも低くなっている。この結果、光学シート４０が他の部材と隣接して配置されたとしても、第１単位形状要素５０が他の部材に接触し、外力の影響を受けやすい先鋭な頂部を有した第２単位形状要素５５は、他の部材に接触することはない。
【００６４】
第１単位形状要素５０は円形または楕円形の一部に相当する断面形状を有していることから、断面三角形形状の第２単位形状要素５５と比較して、第１単位形状要素５０は頂部において高い剛性を有している。而かも、第１単位形状要素５０の頂部近傍は球面乃至球面に近似される表面形状である。その為、幾何学的に、これと接触する他の部材は滑り易く、他の部材と接触した際の摩擦は低減される。そもそも、第１単位形状要素５０が球体の一部または回転楕円体の一部として構成されている場合には、光学シート４０および隣接する他の部材の少なくとも一方に曲がりや反り等が生じたとしても、光学シート４０と他の部材との相対位置が滑らかに変化し得る。すなわち、光学シート４０と他の部材との間での摩擦力を低減することができる。また、断面三角形形状の第２単位形状要素５５が他の部材と接触する場合と比較して、第１単位形状要素５０が他の部材と接触する場合には、他の部材との接触面積が大きくなり、単位面積あたりの接触圧力を低下させることを、期待することもできる。これらのことから、第１単位形状要素５０は、第２単位形状要素５５と比較して、優れた耐擦傷性を有していると言え、単位形状要素の頂部に、擦れ、潰れ、その他の変形等が生じてしまうことを効果的に抑制することができる。
【００６５】
とりわけ、本実施の形態においては、第１単位形状要素５０の幅Ｗ１が高さＨ１以上の長さとなっている。したがって、第１単位形状要素５０は、頂部において、より平坦化された輪郭を有するようになり、より高い耐擦傷性を有している。
【００６６】
以上のことから、本実施の形態によれば、光学シート４０の単位形状要素が他の部材に接触することに起因した不具合、例えば、光学シート４０の歩留まり低下や、光学シート４０が組み込まれた表示装置１０によって表示される画像の画質の劣化等を、防止することができる。
【００６７】
なお、光学シート４０の耐擦傷性を向上させる観点からは、第２単位形状要素５５の突出高さＨ２が、第１単位形状要素５０の突出高さＨ１の９／１０以下となっていることが好ましく、第１単位形状要素５０の突出高さＨ１の２／３以下となっていることがより好ましい。
【００６８】
また、以上のような耐擦傷性の向上は、本体部４５上に三個以上の第１単位形状要素５０が設けられている場合に、確保され得るようになる。三つの第１単位形状要素５０の頂部５１によって、第２単位形状要素５５に接触しない唯一の面が幾何学的に画成され、この面の位置に、光学シートに隣接する他の部材の面が配置され、支持され得るようになるからである。ただし、本件発明者らが鋭意研究を重ねたところ、表示装置に組み込まれて使用される光学シートにおいては、第１単位形状要素５０の充填率が０．１％以上となる場合に安定して、さらには、第１単位形状要素５０の充填率が０．３％以上となる場合により安定して、第２単位形状要素５５を隣接する他の部材から離間させて光学シート４０の耐擦傷性を向上させることができた。
【００６９】
次に、以上のような構成からなる光学シート４０の製造方法の一例について説明する。以下の例においては、図５に示すような成型装置６０を用いた賦型によって、第１単位形状要素５０と第２単位形状要素５５とを一体的にシート材４８上に形成することができる。第１単位形状要素５０および第２単位形状要素５５の形成に用いる材料としては、成型性が良好であるとともに入手が容易であり且つ優れた光透過性を有する樹脂（一例として、硬化物の屈折率１．５７の透明な多官能ウレタンアクリレートオリゴマーとジペンタエリスリトールヘキサアクリレート系モノマーとの組成物の架橋硬化物）が好適に用いられる。
【００７０】
まず、成型装置６０について説明する。図５に示すように、成型装置６０は、略円柱状の外輪郭を有した成型用型７０を有している。図６に示すように、成型用型７０の円柱の外周面（側面）に該当する部分に円筒状の型面（凹凸面）７２が形成されている。円柱状からなる成型用型７０は、円柱の外周面の中心を通過する中心軸線ＣＡ、言い換えると、円柱の横断面の中心を通過する中心軸線ＣＡを有している。そして、成型用型７０は、中心軸線ＣＡを回転軸線として回転しながら（図５参照）、成型品としての光学シート４０を成型するロール型として構成されている。
【００７１】
図６に示すように、型面７２には、光学シート４０の第１単位形状要素５０に対応する凹部７４と、第２単位形状要素５５に対応する溝７６と、が形成されている。溝７６は、型面７２の中心軸線ＣＡを中心として円周状に延びている、あるいは、型面７２の中心軸線ＣＡを中心として螺旋状に延びている。いずれの場合においても、溝７６は、型面７２の中心軸線ＣＡに対して概ね垂直な方向（中心軸線に対する溝７６の角度は、９０°±１×１０−２  °程度）に延びている。凹部７４は、例えばフォトリソグラフィ技術を利用したエッチングにより、例えば、中空の鉄芯表面に銅層を被覆して成る円筒状基材または円柱状基材の円周面上の所望の位置に形成され得る。その後、凹部７４が形成された円筒状基材または円柱状基材の円周面上に、例えば切削バイトを用いた切削加工により、凹部７４を横切るようにして延びる溝７６を形成することができる。
【００７２】
図５に示すように、成型装置６０は、帯状に延びるシート材（成型用基材シート）４８を供給する成型用基材供給装置６２と、供給されるシート材４８と成型用型７０の型面７２との間に流動性を有した材料４９を供給する材料供給装置６４と、シート材４８と成型用型７０の凹凸面７２との間の材料４９を硬化させる硬化装置６６と、をさらに有している。硬化装置６６は、硬化対象となる材料４９の硬化特性に応じて適宜構成され得る。
【００７３】
次に、このような成型装置６０を用いて光学シート４０を作製する方法について説明する。まず、成型用基材供給装置６２から、例えば透明性を有した樹脂からなるシート材４８が供給される。供給されたシート材４８は、図５に示すように、成型用型７０へと送り込まれ、成型用型７０と一対のローラ６８とによって、型７０の凹凸面７２と対向するようにして保持されるようになる。
【００７４】
また、図５に示すように、シート材４８の供給にともない、シート材４８と成型用型７０の型面７２との間に、材料供給装置６４から流動性を有する材料４９が供給される。ここで、「流動性を有する」とは、成型用型７０の型面７２へ供給された材料４９が、型面７２の凹部７４および溝７６内に入り込み得る程度の流動性を有することを意味する。なお、供給される材料４９としては、成型に用いれ得る種々の既知な材料を用いることができる。以下に示す例においては、材料供給装置６４から電離放射線硬化型樹脂が供給される例について説明する。電離放射線硬化型樹脂としては、例えば、紫外線（ＵＶ）を照射されることにより硬化するＵＶ硬化型樹脂や、電子線（ＥＢ）を照射されることによって硬化するＥＢ硬化型樹脂を選択することができる。
【００７５】
ところで、従来、単位レンズを二次元配列してなるフライアイレンズを賦型により作製する場合、単位レンズの充填率によらず、例えば、本実施の形態における第１単位形状要素５０のように低充填率であったとしても、単位レンズに気泡が形成されること、あるいは、単位レンズの表面に凹陥部が形成されてしまうといた不具合が生じやすかった。このことからすると、本実施の形態による光学シート４０の第１単位形状要素５０にも、気泡や凹陥部が形成されてしまうといった不具合の発生が予想されたが、本件発明者らが実験を行ったところ、このような不具合の発生は効果的に抑制された。このようにフライアイレンズの単位レンズと同様に二次元配列された第１単位形状要素５０への気泡や凹陥部等の形成を効果的に抑制することが可能となるメカニズムは明らかではないが、以下にその一要因と考えられ得るメカニズムについて説明する。
【００７６】
以上に説明してきた製造方法においては、型面７２に形成された溝７６が、型面７２上において、成型用型６０の中心軸線ＣＡに対して略垂直な方向に延びている。したがって、図７に示すように、材料供給装置６４から供給される材料４９は、成型用型７０により作製されるようになる光学シート４０の第２単位形状要素５５の長手方向（前記一方向であって、図７における紙面の左右方向）に対応する方向に沿うようにして、成型用型７０上に充填されていく。つまり、第２単位形状要素５５を形成するための溝７６に沿って材料４９が供給されていく。
【００７７】
上述したように、この溝７６は、第１単位形状要素５０を形成するための凹部７４内を通過して延びている。このため、型７０の凹部７４内に材料４９が入り込む際に、それまで凹部７４内を埋めていた気体（典型的には空気）が、材料の供給にともなって当該凹部７４内から溝７６内へ移動しやすくなっている。すなわち、型７０の凹部７４内に材料４９を充填する際に凹部７４内の気泡が特定の経路をたどって凹部７４内から抜け出す傾向がつくり出される。この結果、型面７２内に充填された材料４９中に、気泡が混入してしまうことを効果的に防止することができるものと想定される。ただし、本件発明は以上の推定メカニズムに限定されるものではない。
【００７８】
なお、本件発明者らが実験を重ねたところ、このような型７０内からの気体の排出を促進する上で、第２単位形状要素５５の突出高さＨ２を、第１単位形状要素５０の突出高さＨ１の１／１０以上に設定することが有効であり、さらに１／３以上に設定することがより有効であることが知見された。
【００７９】
その後、成型用シート材４８は、型７０の型面７２との間を電離放射線硬化型樹脂によって満たされた状態で、硬化装置６６に対向する位置を通過する。このとき、硬化装置６６からは、電離放射線硬化型樹脂４９の硬化特性に応じた電離放射線（紫外線または電子線等）が放射されており、電離放射線はシート材４８を透過して電離放射線硬化型樹脂４９に照射される。この結果、型面７２の凹部７４内および溝７６内に充填されていた電離放射線硬化型樹脂が硬化して、硬化した電離放射線硬化型樹脂からなる第１単位形状要素５０および第２単位形状要素５５がシート材４８上に形成されるようになる。
【００８０】
その後、図５に示すように、シート材４８が型７０から離間し、これにともなって、型面７２の凹部７４内および溝７６内に成型された単位形状要素５０，５５がシート材４８とともに型７０から引き離される。この結果、上述した光学シート４０が得られる。
【００８１】
成型された単位形状要素５０，５５（硬化した材料４９）を型７０から抜く工程において、単位形状要素５０，５５（硬化した材料４９）は、成型された第２単位形状要素５５の長手方向（前記一方向）に沿うようにして、型７０からしだいに引き離されていくようになる。上述したように、第２単位形状要素５５は第１単位形状要素５０と一体的に成型されて長細く延びている。したがって、このような方法によれば、成型された第２単位形状要素５５および第１単位形状要素５０の離型がスムースの行われるようになり、成型された第２単位形状要素５５および第１単位形状要素５０に亀裂が生じることや、成型された第２単位形状要素５５および第１単位形状要素５０がシート材４８上から剥がれてしまうこと等を、効果的に防止することができる。
【００８２】
なお、図７に示された例において、シート材４８は型７０の表面に接触していない。この結果、図７に示すように作製された光学シート４０の本体部４５は、シート材４８とシート状に硬化した材料４９とから構成されるようになる。このような方法によれば、成型された第２単位形状要素５５および第１単位形状要素５０が、離型時に、型７０内に部分的に残留してしまうことを効果的に防止することができる。
【００８３】
以上のようにして、ロール型として構成された成型用型７０がその中心軸線ＣＡを中心として一回転している間に、流動性を有した材料４９を型７０内に供給する工程と、型７０内に供給された材料４９を型７０内で硬化させる工程と、硬化した材料４９を型７０から抜く工程と、が型７０の型面７２上において順次実施されていき、光学シート４０が得られる。この際、第２単位形状要素５５の長手方向（前記一方向）が、機械方向に沿うようしてこのような光学シート４０を成型することによって、光学シート４０への気泡の混入、および、光学シート４０の表面への穴の形成を、効果的に抑制することができる。このため、得られた光学シート４０は、期待された所望の光学的特性を発揮することができるようになる。また、型７０内からの気泡の排出が促進されるため、二次元配列された第１単位形状要素５０を含んだ光学シート４０を通常のフライアイレンズシートよりも高速で効率よく生産することも可能となる。これにより、第１単位形状要素５０を含む光学シート４０の製造コストを削減することが可能となる。なお、光学シート４０を成型するための型７０の製造コストは、断面三角形形状を有した単位プリズムを含む従来のプリズムシートを成型するための型や、通常のフライアイレンズシートを成型するための型の製造コストから大幅に上昇することはない。
【００８４】
ただし、以上のような賦型法による光学シート４０の作製は一例に過ぎず、例えば押し出し成型法や転写成型法等の成型法や、その他の製造方法によって、光学シート４０を作製してもよい。
【００８５】
次に、以上のような光学シート４０、面光源装置２０および透過型表示装置１０の作用について説明する。
【００８６】
まず、透過型表示装置１０および面光源装置２０の全体的な作用について説明する。
【００８７】
図１に示す如く、光源２５で発光された光は、直接または反射板２８で反射した後に観察者側に進む。観察者側に進んだ光は、光拡散シート３８で等方拡散された後に、光学シート４０に入射する。光学シート４０において、光の進行方向と正面方向（光学シート４０のシート面への法線方向）ｎｄとによってなされる角度が、主として、０°に近付くように、光が偏向される。また、光学シート４０においては、輝度の面内分布が均一化するように、光が拡散するようになる。なお、光学シート４０の作用については、後に詳述する。
【００８８】
光学シート４０を出光した光は、その後、偏光分離フィルム３５を透過する。透過型表示部１５は、面光源装置２０からの光を画素毎に選択的に透過させる。これにより、透過型表示装置１０の観察者が、映像を観察することができるようになる。
【００８９】
次に、光学シート４０の作用についてさらに詳述する。
【００９０】
まず、光学シート４０の出光面の大部分を構成するようになる第２単位形状要素（単位プリズム）５５による作用について説明する。図３および図４に示すように、リニアアレイプリズム部を形成する第２単位形状要素５５を介して、光学シート４０から出射する光Ｌ３６，Ｌ４５−Ｌ４８は、第２単位形状要素（単位プリズム）５５の出光側面（プリズム面）のうちの面５６ａにおいて屈折する。この屈折により、正面方向ｎｄから傾斜した方向に進む光Ｌ３６，Ｌ４５−Ｌ４８の進行方向は、光学シート４０へ入射する際における光の進行方向と比較して、主として、光学シート４０のシート面への法線方向ｎｄに対する角度が小さくなる側へ曲げられる。このような作用により、上述したように、第２単位形状要素５５は、透過光の進行方向を正面方向ｎｄ側に絞り込むことができる。すなわち、第２単位形状要素５５は、透過光に対して集光作用を及ぼすようになる。
【００９１】
その一方で、正面方向ｎｄから大きく傾斜しない方向へ進む光Ｌ３７は、図３に示すように、第２単位形状要素５５の出光側面（プリズム面）において全反射を繰り返し、その進行方向を入光側（光源側）へ転換する。
【００９２】
上述したように、本実施の形態において、第２単位形状要素５５の配列方向は、光源２５の配列方向と平行になっている。したがって、隣り合う二つの光源２５の中間点に対面する位置を中心とした光学シート４０の領域であって、光源２５からの光が大きな入射角度で入射する傾向のある光学シート４０の領域に入射する光の進行方向を、当該光の進行方向と正面方向ｎｄとによってなされる角度が０°に近付くように、第２単位形状要素５５の出光側面（プリズム面）での屈折により、変化させることができる。この結果、隣り合う二つの光源２５の中間点に対面する位置を中心とした領域であって輝度が低下する傾向のある光学シート４０の領域において、輝度が低くなり過ぎてしまうことを防止することができる。
【００９３】
また、光源２５の直上に位置する光学シート４０の領域であって、光源２５からの光が小さな入射角度で多く入射するようになる光学シート４０の領域に入射する光を、第２単位形状要素５５の出光側面（プリズム面）での全反射により、光源側へ戻すことができる（図３の光Ｌ３７を参照）。この結果、光源２５の直上に位置する領域であって輝度が高くなり過ぎる傾向のある光学シート４０の領域において、輝度が高くなり過ぎてしまうことを防止することができる。
【００９４】
この結果、第２単位形状要素５５によって、正面方向輝度を向上させるだけでなく、光源２５の発光部の配列に応じて発生する輝度ムラ（管ムラ）を効果的に低減し、光源の像（ライトイメージ）を目立たなくさせることができる。
【００９５】
次に、第１単位形状要素（単位レンズ）５０による作用について説明する。図３および図４に示すように、第１単位形状要素５０は、法線方向ｎｄに対して大きく傾斜した方向に進む光Ｌ３１，Ｌ４１−Ｌ４４に対して、主として集光作用を及ぼすようになる。その一方で、図３に示すように、第１単位形状要素５０は、法線方向ｎｄに対して大きく傾斜しない方向に進む光Ｌ３２を全反射により、入光側へ戻すように機能する。すなわち、第１単位形状要素５０は、第２単位形状要素５５と概ね、同様に輝度の面内分布を均一化させながら、正面方向輝度を向上させる機能を有している。
【００９６】
なお、上述したように、第１単位形状要素５０は、少なくとも頂部においては法線方向ｎｄを中心として対称的に構成されている。また、第１単位形状要素５０は、本体部４５の一方の面４６上に二次元配列されている。したがって、第１単位形状要素５０は、光学シート４０のシート面上の任意の方向に沿った面内において、光の進行方向を変化させることができる。この結果、光源２５の配列方向を考慮することなく光学シート４０を光源２５上に配置したとしても、第１単位形状要素５０による集光機能および光拡散機能が発揮されるようになる。
【００９７】
ところで、断面多角形形状、例えば図４に示すように断面三角形形状を有するように構成された第２単位形状要素５５に入射する光は、その進行方向が正面方向ｎｄから傾斜している場合、正面方向ｎｄを基準として当該光Ｌ４５−Ｌ４８の進行方向とは逆側に傾斜した一方側の出光側面（一方側のプリズム面）５６ａに多く入射するようになる。そして、断面三角形形状を有するように構成された第２単位形状要素５５に入射した当該光Ｌ４５−Ｌ４８の進行方向の正面方向ｎｄに対する傾斜角度が一定であれば、当該光Ｌ４５−Ｌ４８が一方側の出光側面（一方側のプリズム面）５６ａ上のどの位置に入射するかに依らず、第２単位形状要素５５から出射する際における当該光Ｌ４５−Ｌ４８の出射方向の正面方向ｎｄに対する傾斜角度も一定となる。すなわち、第２単位形状要素５５から出射する光の進行方向は、概ね、当該第２単位形状要素５５の構成（例えば、形状や屈折率等）に起因して決定されるようになる。
【００９８】
なお、図４における光Ｌ４１−Ｌ４９の光学シート内における進行方向の正面方向ｎｄに対する傾斜角度は、同一となっている。
【００９９】
このような第２単位形状要素５５の光学的特性に対し、図４に示すように、断面円形状または断面楕円形状を有するように構成された第１単位形状要素５０に入射する光Ｌ４１−Ｌ４４は、当該光の進行方向の正面方向ｎｄに対する傾斜角度が一定であったとしても、当該光が第１単位形状要素５０の出光側面（レンズ面）上のどの位置に入射するかによって、第１単位形状要素５０から出射する際における当該光の出射方向の正面方向ｎｄに対する傾斜角度が異なってくる。したがって、第１単位形状要素５０から出射する光の進行方向は、当該第１単位形状要素５０の構成（例えば、形状や屈折率等）だけでなく、当該第１単位形状要素５０への入射位置にも大きく影響を受けるようになる。
【０１００】
そして、第１単位形状要素５０の配置間隔および第２単位形状要素の配置間隔は、光源２５の配置間隔と比較して、非常に狭くなっている。したがって、一つの単位形状要素５０，５５へ向けて光源２５から入射する光の傾斜角度は略同一となる。この結果、曲面によって構成された出光面を有する第１単位形状要素（単位レンズ）５０は、光の進行方向の正面方向ｎｄに対する角度を比較的に広い角度範囲内に絞り込むとともに、当該絞り込まれた角度範囲内における輝度分布を滑らかに変化させるようにすることが可能となる。一方、断面多角形状からなる第２単位形状要素（単位プリズム）５５は、正面方向ｎｄを中心とする比較的に狭い角度範囲内に、光の進行方向の正面方向ｎｄに対する角度を絞り込むことが可能となる。すなわち、断面多角形状からなる第２単位形状要素５５は、その構成を適宜設計されることにより、極めて優れた集光機能を発揮し得るようになる。
【０１０１】
つまり、断面多角形状からなる第２単位形状要素（単位プリズム）５５は、曲面によって構成された出光面を有する第１単位形状要素（単位レンズ）５０と比較して、より強い集光機能を発揮することができるとともに、第１単位形状要素（単位レンズ）５０は、第２単位形状要素（単位プリズム）５５と比較して、より強い光拡散機能を発揮することができる。このような第１単位形状要素５０および第２単位形状要素５５の光学特性からすると、第２単位形状要素５５のみを有した従来のプリズムシートと比較して、第１単位形状要素５０と第２単位形状要素５５とを有する本実施の形態による光学シート４０においては、正面方向輝度が低下してしまうものと予想される。
【０１０２】
前記特許文献１（特開２００８−７０４５６号公報）の光学シートでは、三角柱形状の単位プリズムの斜面上に単位球面レンズの一部が寄生した構造の為、該単位プリズム及び該単位球面レンズともに相互の機能を抑制し合い、集光機能及び光拡散機能の両方が、該単位プリズムのみ配列した光学シート及び該単位球面レンズのみ配列した光学シートに及ば無いものであった。
【０１０３】
その一方で、本発明の光学シートに於いては、本件発明者が実験（シミュレーションを含む）を重ねたところ、確かに、第１単位形状要素５０の充填率が増加するにつれて、しだいに、正面方向輝度が低下していくといった全体的な傾向があるものの、低充填率領域においては、全体的な傾向とは異なる異質な傾向を有することが確認された。具体的には、後述する実施例において実験結果の一部が示されているように、第２単位形状要素５５とともに第１単位形状要素５０を低充填率でまばらに配置することによって、第２単位形状要素５５のみを有した従来のプリズムシートと概ね同等の正面方向輝度を確保し得ることが知見された。さらには、第１単位形状要素５０を０より大きく１０％以下の充填率で、第２単位形状要素とともに、設けた場合には、第２単位形状要素５５のみを有した従来のプリズムシートと比較して、正面方向輝度を維持することだけでなく、正面方向輝度をさらに上昇させることすら可能となることが知見された。これは、従来の技術常識の延長では予想し難い意外な結果である。
【０１０４】
このように低充填率で設けられた第１単位形状要素５０によって、第２単位形状要素５５のみによって確保される正面方向輝度をさらに向上させることが可能となるメカニズムは明らかではないが、以下にその一要因と考えられ得る第１単位形状要素５０と第２単位形状要素５５との相乗的な作用効果について説明する。ただし、本件発明は、以下の推定メカニズムに限定されるものではない。
【０１０５】
断面多角形状、図４に示す例では断面三角形形状を有するように構成された第２単位形状要素５５に入射する光の多くは、当該光の進行方向が正面方向ｎｄから傾斜している場合、正面方向ｎｄを基準として当該光Ｌ４５−Ｌ４８の進行方向（図示する例では、出光側に向けて紙面の左側に傾斜する方向）とは逆側に傾斜した（図示する例では、紙面の左側に配置され出光側に向けて紙面の右側に倒れた）一方側の出光側面（一方側のプリズム面）５６ａに多く入射するようになる。しかしながら、図４に示すように、第２単位形状要素５５に入射する光の一部Ｌ４９は、正面方向ｎｄを基準として当該光Ｌ４９の進行方向と同一側に傾斜した他方側の出光側面（他方側のプリズム面）５６ｂにも入射することがある。他方側の出光側面５６ｂに入射した光の多くは、当該出光側面５６ｂで全反射する。そして、当該光の一部Ｌ４９は、全反射した後に、極めて大きな出射角度で第２単位形状要素（単位プリズム）５５から出射し得る。そして、このような光は、いわゆるサイドローブを形成する光であり、透過型表示装置１０において有効に利用されることなく、むしろ、映像の画質を劣化させることにもなる。
【０１０６】
そして、上述してきた本実施の形態によれば、本体部４５の一方の面４６上には、第２単位形状要素５５だけでなく、第１単位形状要素５０も設けられている。そして、図４に示すように、第１単位形状要素５０の本体部４５からの突出高さＨ１が第２単位形状要素５５の本体部４５からの突出高さＨ２よりも高くなっているため、極めて大きな出射角度で第２単位形状要素（単位プリズム）５５から出射した光Ｌ４９は、第１単位形状要素５０内へ入射する（光Ｌ４９ａ参照）、或いは、第１単位形状要素５０の出光側面で反射する（光Ｌ４９ｂ参照）。
【０１０７】
第１単位形状要素５０へ入射した光Ｌ４９ａは、第１単位形状要素５０の曲面からなる出光側面で一回以上全反射し、その進行方向を逆側（光源側、入光側）に転換し得る。とりわけ、本実施の形態においては、第１単位形状要素５０は、主切断面において円の一部または楕円の一部分に相当する形状を有しており、さらには、主切断面において幅Ｗ１が高さＨ１よりも長くなっている。このため、第１単位形状要素５０へ入射した光Ｌ４９ａは、その後、法線方向ｎｄに対して非常に大きく傾斜した第１単位形状要素５０の出光側面に入射するようになり、結果として、全反射されて進行方向を逆側に転換する傾向を強く持つようになる。このような光Ｌ４９ａは、反射板２８等での反射により、再び出光側（観察者側）へ進行方向を転換し再利用され得る。すなわち、第１単位形状要素５０は、サイドローブをなす不要光としていったん光学シート４０から出射した光を、光学シート４０内に回収し、正面方向輝度の向上に寄与し得る光として再利用するように働く。
【０１０８】
一方、第１単位形状要素５０の出光側面で反射する光Ｌ４９ｂは、第１単位形状要素５０での反射によって、進行方向を変化させる。図示する例のように、第１単位形状要素５０の基端部側（入光側）から先端部側（出光側）に向けて第１単位形状要素５０の幅がしだいに狭まっていく場合、第１単位形状要素５０での反射によって、光Ｌ４９ｂは、正面方向ｎｄに対してその進行方向がなす角度が小さくなるように、進行方向を曲げられる。すなわち、サイドローブをなす不要光としていったん光学シート４０から出射した光Ｌ４９に対し、第１単位形状要素５０の出光側面によって集光作用を及ぼし、法線方向ｎｄ近傍の光に転換することができる。
【０１０９】
以上のように、低充填率で設けられた第１単位形状要素５０は、第２単位形状要素５５に起因して発生し従来不要光となっていた光の進行方向を偏向させ、当該光を正面方向輝度の向上に寄与させるように機能すると推測される。とりわけ、図示する例のように、第１単位形状要素５０が第２単位形状要素５５よりも高さ及び幅において大きくなっている場合、複数の第２単位形状要素５５のうちの少なくともいくつかが、第１単位形状要素５０によって、当該第２単位形状要素５５の長手方向に分断されるようになる。このような態様では、第１単位形状要素５０が、第２単位形状要素５５とは別個の光学要素として光学機能を有効に発揮することが可能になるものと推測される。実際に、第１単位形状要素５０が低充填率で設けられた本実施の形態に係る光学シート４０の輝度の角度分布を測定したところ、第２単位形状要素５５のみを有した従来のプリズムシートについての輝度の角度分布に見られていた広角度域のサブピークが、存在していなかった。言い換えると、第１単位形状要素５０が低充填率で設けられた本実施の形態に係る光学シート４０の輝度の角度分布では、従来のプリズムシートの輝度の角度分布に見られるサイドローブの発生が緩和、さらには防止されていた。つまり、本実施の形態による光学シート４０によれば、第１単位形状要素５０および第２単位形状要素５５の単独の光学的作用だけでなく、第１単位形状要素５０および第２単位形状要素５５の相乗的な光学的作用により、実際に表示装置に組み込まれている集光シートのうち最も正面方向輝度を向上させることができるとされているプリズムシートの正面方向輝度をさらに改善することができる。
【０１１０】
なお、光学シート４０の正面方向輝度を向上させる観点からは、第２単位形状要素５５の突出高さＨ２が、第１単位形状要素５０の突出高さＨ１の９／１０以下であり１／１０以上となっていることが好ましく、第１単位形状要素５０の突出高さＨ１の２／３以下であり１／３以上となっていることがより好ましいことが知見された。
【０１１１】
また、本件発明者らが鋭意実験を重ねたところ、隣り合う二つの第１単位形状要素５０の間の距離と、第２単位形状要素５５の配列ピッチＰ２と、を調節することにより、第１単位形状要素５０および第２単位形状要素５５の相乗的な光学的機能をより効果的に発揮されるようにすることができた。具体的には、第１単位形状要素５０の平均最小間隔Ｓａが、本体部４５のシート面上における一方向（すなわち、第２単位形状要素５５の長手方向）へ直交する方向（すなわち、第２単位形状要素５５の配列方向）に沿った第２単位形状要素５５の配列ピッチＰ２以上となっていることが好ましい。好ましくは、第１単位形状要素５０の平均最小間隔Ｓａが、第２単位形状要素５５の配列ピッチＰ２の２倍以上となっていることが好ましい。
【０１１２】
ここで平均最小間隔Ｓａとは、任意に選択したある一つの第１単位形状要素５０と、本体部４５のシート面に沿って当該一つの第１単位形状要素５０に最も近接して配置された他の一つの第１単位形状要素５０と、の間における本体部４５のシート面に沿った離間間隔の平均値のことをいう。上述した実施の形態では、同一の幅（図示する例では、本体部４５の一方の面４６上における直径）Ｗ１を有した第１単位形状要素５０が、同一の配列ピッチＰ１で、本体部４５の一方の面４６上に配列されている。したがって、平均最小間隔Ｓａは、配列ピッチＰ１と幅Ｗ１との差（＝Ｐ１−Ｗ１）となる（図２参照）。他の例として、第１単位形状要素５０が本体部４５の一方の面４６上にランダム（不規則）に配列されている場合には、任意に選択したある一つの第１単位形状要素５０と、本体部４５のシート面に沿って当該一つの第１単位形状要素５０に最も近接して配置された他の第１単位形状要素５０と、の間における離間間隔を、多数、例えば２０〜１００箇所測定し、測定値の平均をとることにより、平均最小間隔Ｓａを求めることができる。
【０１１３】
一方、本実施の形態においては、第２単位形状要素５５は互いに隙間をあけることなく配列されている。したがって、本体部４５のシート面上における一方向へ直交する方向に沿った第２単位形状要素５５の配列ピッチＰ２は、第２単位形状要素５５の幅Ｗ２に相当する。
【０１１４】
第１単位形状要素５０の平均最小間隔Ｓａが、第２単位形状要素５５の配列ピッチＰ２以上となっている場合、必ず、第２単位形状要素５５の配列方向（前記一方向に直交する方向）に沿って隣り合う二つの第１単位形状要素５０の間に、少なくとも一つの第２単位形状要素５５が存在するようになる（図３参照）。言い換えると、図２によく示されているように、一方向に沿って隣り合う二つの第１単位形状要素５０の間を、その他の第１単位形状要素５０によって覆われること無く延びる一つの第２単位形状要素５５（厳密には、一つ分の第２単位形状要素５５に相当する出光側面）が延在することになる。この結果、第１単位形状要素５０によって阻害されることなく、隣り合う二つの第１単位形状要素５０の間で、第２単位形状要素５５が期待された光学的機能を発揮しているものと推定される。第２単位形状要素５５の光学的機能が十分に発揮されると、正面方向輝度の向上や輝度の面内分布の均一化といった本来的な目的が実現されるだけでなく、上述したように、法線方向に大きく傾斜した方向に進みサイドローブをなすようなる光も発生するようになる。そして、このサイドローブをなすようなる光は、第１単位形状要素５０からの上述した光学的作用を及ぼされ、正面方向輝度の向上に寄与するようになるものと推測される。ただし、本件発明はこの推測に限定されるものではない。
【０１１５】
さらに、本件発明者らが鋭意実験を重ねたところ、以下に説明するように、透過型表示部１５および面光源装置２０を互いに対して特定の条件で位置決めすることにより、正面方向輝度を数％（例えば３％程度）上昇させ得ることが確認された。
【０１１６】
市販されている多くの光学シート４０は、延伸フィルムを用いて作製されている。具体的には、図５〜図７を参照しながら説明した上述の光学シートの製造方法において、成型用基材供給装置６２から供給されるシート材４８として、延伸フィルムが用いられることが多い。ここで延伸フィルムとは、一以上の特定の方向に力を加えて、例えば高分子フィルムを引き伸ばすことにより（延伸させることにより）得られるフィルムである。このような延伸フィルムは、種々の分野、例えば包装用フィルム等にも用いられており、一般的に、機械的性質および化学的性質が安定しているとともに安価に入手可能である。このような延伸フィルムは、複屈折性を有し、これと第２単位形状要素の持つ偏光特性との複合効果によって、延伸された方向（延伸軸と平行な方向）の偏光成分をそのまま透過させる一方で、それ以外の方向の偏光成分の一部分を吸収する。すなわち、延伸軸方向の偏光成分の透過率が最大となり、延伸軸と直交する方向の偏光成分の吸収率が最大と成る。このため、本体部に延伸フィルムを含む形態の本発明の光学シートに於いては、延伸軸（延伸方向と平行な軸）を当該延伸フィルムの透過軸と呼称し、延伸軸方向と直交する方向を吸収軸とも呼称し得る。
【０１１７】
一方、典型的な透過型表示部１５は、液晶パネルから構成されている。そして、液晶パネル（透過型表示部）１５は、一対の偏光板１６，１７と、一対の偏光板１６，１７間に配置され液晶層を含む液晶セル１８と、を有している（図１参照）。偏光板１６，１７は、入射した光を直交する二つの偏光成分に分解し、一方の方向（透過軸（偏光軸）と平行な方向）の偏光成分を透過させ、前記一方の方向に直交する他方の方向（吸収軸と平行な方向）の偏光成分を吸収する機能を有している。
【０１１８】
そして、後述する実施例での結果とも合致するように、正面方向から観察した場合に延伸フィルム４８の延伸軸と下偏光板１６の偏光軸（透過軸）とが互いに対して傾斜するように、すなわち、正面方向から観察した場合に延伸フィルム４８の延伸軸と下偏光板１６の偏光軸とによってなされる角度の絶対値が０°より大きくなるように、透過型表示部１５と面光源装置２０とを互いに対して位置決めすることによって、正面方向輝度を向上させ得ることが確認された。とりわけ、正面方向からの観察において延伸フィルム４８の延伸軸と下偏光板１６の偏光軸とによってなされる角度の絶対値が０°より大きく５０°以下となっている場合に、正面方向からの観察において延伸フィルム４８の延伸軸と下偏光板１６の偏光軸とが平行となっている場合と比較して、正面方向輝度をより向上させることができた。そしてさらに、正面方向からの観察において延伸フィルム４８の延伸軸と下偏光板１６の偏光軸とによってなされる角度の絶対値が２０°以上４５°以下となっている場合に、正面方向輝度を効果的に向上させることができた。このような現象は、線状に延びる第２単位形状要素５５と、１０％以下の充填率で配置された第１単位形状要素５０と、を有する上述した本実施の形態に係る光学シート４０を含んだ表示装置１０に限られることなく、線状に延びる第２単位形状要素５５のみを含み第１単位形状要素５０を含まない光学シート（いわゆるプリズムシート）を含んだ表示装置についても生じることが確認された。
【０１１９】
このような現象が生じるメカニズムの詳細は不明であるが、主として線状に延びる第２単位形状要素５５からの光学的作用により、本体部４５（延伸フィルム４８）を透過した光は多少なりとも偏光状態となること、及び、延伸フィルムは屈折率異方性を有し透過光の偏光軸方向を回転させることに起因しているものと考えられる。すなわち、本体部４５の延伸フィルム４８と透過型表示部１５の下偏光板１６との間を進む光の無偏光状態が主として第２単位形状要素５５によって異方的に乱されるため偏光状態となる。一般に、第２単位形状要素５５の主切断面内で屈折する透過光はＰ偏光成分をより多く含み、透過した光の偏光方向は稜線方向（伸びる方向）に多く偏光する。通常、第２単位形状要素５５の稜線方向と透過型液晶表示部１５の下偏光板１６の透過軸とは同方向乃至略同方向と設定される。従って、このままであると、第２単位形状要素５５の透過光の偏光軸方向と下偏光板１６の透過軸方向とは直交する（成分の比率が多くなる）為、光源光の中で下偏光板１６で吸収されて画像表示に利用不能な光量が増える。其の結果、透過型表示装置の正面方向輝度が低下することになる。一方、本体部４５の延伸フィルム４８は本体部４５のシート面内方向に於いて屈折率異方性を有し、屈折率の最大方向（遅相軸）及び屈折率の最小方向（進相軸）を有する。其の為、斯かる屈折率（の面内）異方性を有する本体部を透過する偏光の偏光軸を（本体部４５のシート面内に於いて）回転させる。したがって、予め、延伸フィルム４８の延伸軸と下偏光板１６の透過軸とを所定の程度ずらしておくことによって、本体部４５及び第２単位形状要素５５を透過した光の偏光軸方向を下偏光板１６の透過軸と同方向乃至略同方向に矯正し得る。これによって、正面方向輝度の上昇に寄与するようになるものと推測される。ただし、本件発明は、この推測に限定されるものではない。
【０１２０】
なお、延伸フィルムが二軸延伸によって形成されている場合には、厳密には、延伸フィルム内の幅方向における各位置において延伸軸の方向が変化する。そして、ここでいう、光学シート４０に含まれる延伸フィルムの延伸軸、すなわち、透過型表示部１５の下偏光板１６の透過軸と対比されるべき延伸フィルムの延伸軸は、延伸フィルムのうちの、表示装置１０の表示領域の中央部分に対面するようになる部分での延伸軸とする。例えば、表示装置１０の表示領域が矩形状である場合には、二つの対角線の交点に対面する部分における延伸フィルムの延伸軸を、透過型表示部１５の下偏光板１６の透過軸と対比することになる。通常、表示装置１０の正面輝度の評価は、表示領域の中央部分での正面輝度によって行われるからである。また、表示領域中央部から離れるに従って斯かる透過軸と延伸軸との角度は乖離してくる可能性もあるが、現実的には、表示領域の周縁部での輝度低下は或る程度許容可能であるためでもある。
【０１２１】
また、延伸フィルムと下偏光板１６との一つの特定の配置状態において、延伸フィルム４８の延伸軸と下偏光板１６の偏光軸とによって、足し合わせると１８０°となる二つの角度が画成されるようになる。そして、ここでいう延伸フィルム４８の延伸軸と下偏光板１６の偏光軸とによってなされる角度とは、二つの角度のうちの、角度の絶対値が小さくなる方の角度のことを指し示すこととする。すなわち、ここでいう延伸フィルム４８の延伸軸と下偏光板１６の偏光軸とによってなされる角度の絶対値は、０°以上９０°以下となる。
【０１２２】
以上のような本実施の形態によれば、光学シート４０が、低充填率で本体部４５の一方の面４６上に配置された三個以上の第１単位形状要素５０と、本体部４５の一方の面４６上に配列され、各々が本体部４５のシート面上の一方向と平行に延びる、複数の第２単位形状要素５５と、を有しており、第１単位形状要素５０の一方の面４６からの突出高さＨ１が、第２単位形状要素５５の一方の面４６からの突出高さＨ２よりも高くなっている。このような光学シート４０においては、低充填率で配置された第１単位形状要素５０によって、第２単位形状要素５５の光学的機能に起因して得られる正面方向輝度を大きく低下させることはない。とりわけ、第１単位形状要素５０の充填率が０より大きく１０％以下の場合には、第２単位形状要素５５の光学的機能に起因して得られる正面方向輝度を維持するだけでなく、光源光を有効利用することによって、第２単位形状要素５５の光学的機能に起因して得られる正面方向輝度をさらに上昇させることができる。加えて、光学シート４０に隣接する他の部材に高さＨ１が高い第１単位形状要素５０が接触し、第２単位形状要素５５を他の部材から引き離し、第２単位形状要素５５が光学シート４０に隣接する他の部材と接触することを防止することができる。このため、第１単位形状要素５０の構成によって光学シート４０全体の耐擦傷性を確保しつつ、第２単位形状要素５５については、耐擦傷性を考慮することなく、例えば頂部の面取り等を行うことなく、要望される光学特性に応じてその形状を設計され得る。すなわち、本実施の形態による光学シートによれば、光学シートの正面方向輝度を向上させることと光学シートの耐擦傷性を向上させることとの両方を同時に可能にすることができる。
斯かる耐擦傷性及び正面方向輝度を共に高い水準に維持する為には、第１単位形状要素の充填率は０．１％以上５％以下とする。中でも０．３％以上１．５％以下の範囲とすることが好ましい。
【０１２３】
とりわけ、上述した実施の形態によれば、第１単位形状要素５０が曲面からなる出光面を有し、一具体例として第１単位形状要素５０の主切断面における断面形状が円形状の一部または楕円形状の一部に相当する形状を、出光側頂部を含む領域に、含んでおり、且つ、第２単位形状要素５５の主切断面における断面形状が多角形形状、一具体例として三角形形状となっている。このような例によれば、第２単位形状要素５５からの光学的作用によって、優れた正面方向輝度を確保し得るだけでなく、第１単位形状要素５０および第２単位形状要素５５からの相乗的な光学的作用によって、この優れた正面方向輝度をさらに向上させることができる。また同時に、優れた耐擦傷性を有する第１単位形状要素５０によって、第２単位形状要素５５が他の部材と接触することを防止し、先鋭な先端部を有する第２単位形状要素５５を保護することができる。したがって、第２単位形状要素５５の頂部に面取り加工等を施す必要もなく、光学特性を追求した形状を第２単位形状要素５５に付与することができる。すなわち、第１単位形状要素５０の構成によって発揮される機能によって、光学シート４０全体としての耐擦傷性を改善し、光学シート４０の優れた光学的機能が安定して発揮されるようにすることができる。また、光学シート４０の耐擦傷性が改善されることから、通常、光学シートを重ねて又は巻き取って輸送する際に、隣接する光学シート間に配置する保護シートを排除することも可能となる。
【０１２４】
さらに、光学シート４０単体として正面方向輝度を向上させることができるため、面光源装置２０に別途の光拡散シートを配置したとしても、面光源装置２０の出光面における正面方向輝度を維持することができる。すなわち、面光源装置２０の出光面における正面方向輝度を維持しながら、面光源装置２０の出光面で測定される輝度の角度分布の変化をより滑らかにすること、輝度の面内部分をさらに均一化させること、光源２５の像を目立たなくさせること、表示装置１０の視野角を拡大させることが可能となる。
【０１２５】
なお、上述した実施の形態に対して様々な変更を加えることが可能である。以下、変形の一例について説明する。
【０１２６】
上述した実施の形態において、曲面状の出光面を有する第１単位形状要素５０が、球体の一部分または回転楕円体の一部分に相当する形状を有している例を示したが、これに限られない。例えば、第１単位形状要素が、本体部４５から突出する円錐台と、この円錐台上に配置された半球と、を組み合わせてなる形状を有するようにしてもよい。また、上述した実施の形態において、光学シート４０の法線方向ｎｄに沿った断面において、第１単位形状要素５０が、円形状の一部分または楕円形状の一部分に相当する形状を有する例を示したが、これに限られない。例えば、第１単位形状要素が、光学シート４０の法線方向ｎｄに沿った断面において、本体部４５から突出する台形と、この台形上に配置された半球と、を組み合わせてなる形状を有するようにしてもよい。さらに、上述した実施の形態において、第１単位形状要素５０の底面（本体部４５に接続する面）が円形状からなる例（図２参照、即ち光学シート４０のシート面の法線ｎｄを回転軸とする回転体となる例）を示したが、これに限られない。例えば、第１単位形状要素の底面が、楕円となる形状、或は三角形、四角形、五角形、六角形、八角形等の多角形形状として形成されてもよい。さらに、上述した実施の形態において、光学シート４０の第１単位形状要素５０がすべて同一の構成を有する例を示したが、これに限られない。例えば、高さ、断面形状および底面形状等の少なくとも一つが互いに異なる複数種類の第１単位形状要素５０が、光学シート４０に含まれていてもよい。例えば、本体部の一方の面４６上に、第１単位形状要素として、互いに曲率半径が異なる２種類以上の半球面をランダムに配置する形態（勿論、該各々の第１単位形状要素の間には第２単位形状要素が配置される）が挙げられる。斯かる形態に於いては、全ての第１単位形状要素が同一である形態に較べて、光拡散機能がより向上する。
【０１２７】
また、上述した実施の形態において、第１単位形状要素５０が、本体部４５の一方の面４６上において、互いから６０°傾斜した二つの方向に沿って、当該二つの方向間で互いに同一な一定のピッチで並べて配列されている例を示したが、これに限られず、その他の態様で、第１単位形状要素５０が、本体部４５の一方の面４６上に規則的な配列で設けられていてもよい。例えば、第１単位形状要素５０が、本体部４５の一方の面４６上において、直交する二方向に沿って、二方向間で互いに同一の一定ピッチで並べて配列されるように（正方格子状に配列されるように）してもよい。なお、第１単位形状要素５０が本体部４５の一方の面４６上に規則的な配列で設けられる場合、例えば、第１単位形状要素５０が本体部４５の一方の面４６上において異なる複数方向の各々に、方向間で互いに同一または異なる一定のピッチで、配列されている場合には、図８および図９に示すように、本体部４５の一方の面４６上において第１単位形状要素５０が一定のピッチで配列されている複数の方向のうちの最短ピッチでの配列方向が、第２単位形状要素５５の配列方向と交差していること、すなわち、第２単位形状要素５５の配列方向に傾斜または直交していること、さらに言い換えると、第２単位形状要素５５の配列方向と非平行となっていることが好ましい。なお、最短ピッチでの配列方向が複数ある場合には、最短ピッチでの配列方向のすべてが第２単位形状要素５５の配列方向と交差していることが好ましい。さらに、第１単位形状要素５０が本体部４５の一方の面４６上に規則的な配列で設けられる場合には、例えば、第１単位形状要素５０が本体部４５の一方の面４６上において異なる複数方向の各々に一定ピッチで配列されている場合には、図９に示すように、本体部４５の一方の面４６上において第１単位形状要素５０が一定のピッチで配列されている複数の方向が、すべて、第２単位形状要素５５の配列方向と交差していること、すなわち、第２単位形状要素５５の配列方向に傾斜または直交していること、さらに言い換えると、第２単位形状要素５５の配列方向と非平行となっていることが好ましい。
【０１２８】
このように第１単位形状要素５０の配列方向を第２単位形状要素５５の配列方向に対して位置決めすることによれば、第１単位形状要素５０の配列および第２単位形状要素５５の配列に起因した光学シート４０内におけるモアレ、即ち、両単位形状要素５０、５５相互の干渉によるモアレ（以下、単にモアレと呼称する）を目立たなくせることができる。また、このように第１単位形状要素５０の配列方向を第２単位形状要素５５の配列方向に対して位置決めすることは、充填率が１０％を超える光学シートであって、例えば、第１単位形状要素５０が積極的にフライアイレンズとして機能し得る程度に充填されている光学シートにおいても、第１単位形状要素５０の配列および第２単位形状要素５５の配列に起因した光学シート４０内におけるモアレを目立たなくせることに有効である。すなわち、シート状の本体部４５と、本体部４５の一方の面４６上に配列された複数の第１単位形状要素５０と、本体部４５の一方の面４６上に配列され、本体部４５のシート面上の一方向と平行に延びる複数の第２単位形状要素５５と、を備えた光学シートにおいても、以上に説明したように、第１単位形状要素５０の配列方向を第２単位形状要素５５の配列方向に対して位置決めすることが有効である。それどころか、充填率が１０％以下の光学シート１０では第１形状要素５０の配列ピッチが比較的に長くなり、第１単位形状要素５０の配列および第２単位形状要素５５の配列に起因した光学シート４０内におけるモアレが目立ちにくい傾向もあることから、むしろ、以上のように第１単位形状要素５０の配列方向を第２単位形状要素５５の配列方向に対して位置決めすることは、充填率が１０％を超える光学シートにおいて、第１単位形状要素５０の配列および第２単位形状要素５５の配列に起因した光学シート４０内におけるモアレを目立たなくせることにより有効であるとも言える。
【０１２９】
なお、図８および図９に示す例においては、第１単位形状要素５０は、図２に示す例と同様に、互いに対して６０°ずつ傾斜した第１方向ｄ１、第２方向ｄ２および第３方向ｄ３のそれぞれに同一の一定ピッチＰ１で配置されており、これにともなって、第１〜第３方向ｄ１，ｄ２，ｄ３とは異なるその他の方向（例えば図９における第４方向ｄ４）にも、第１〜第３方向ｄ１，ｄ２，ｄ３における配列ピッチＰ１よりも長い一定ピッチ（例えば図８および図９におけるピッチＰ１ａ）で、配列されている。そして、図８および図９に示す例では、本体部４５の一方の面４６上において第１単位形状要素５０が一定のピッチで配列されている複数の方向のうちの最短ピッチでの三つの配列方向ｄ１〜ｄ３のすべてが、第２単位形状要素５５の配列方向に対して交差している（但し、図８の形態に於いては、第４方向ｄ４のみ第２単位形状要素５５の配列方向と一致する）。さらに図９に示す例では、本体部４５の一方の面４６上において第１単位形状要素５０が一定のピッチで配列されている複数の方向（例えば第１〜第４方向ｄ１〜ｄ４）が、全て、第２単位形状要素５５の配列方向に対して交差している。
【０１３０】
また、上述した実施の形態によれば、第１単位形状要素５０が本体部４５の一方の面４６上に規則的な配列で設けられている例を示したが、これに限られず、第１単位形状要素５０が本体部４５の一方の面４６上に不規則的な配列で設けられていてもよい。第１単位形状要素５０を本体部４５の一方の面４６上にランダムに配列する方法の一例として、次の方法を挙げることができる。
【０１３１】
まず、本体部４５の一方の面４６上に規則的な配列で位置決めされた基準点５２を、第１単位形状要素５０の配置中心を決定する上での（仮想的な）基準位置として、決定する。例えば、本体部４５の一方の面４６上において異なる複数方向の各々に、方向間で互いに同一または異なる一定間隔で、基準点５２が位置決めされるようにする。一例としての図１０に示す例での基準点５２は、上述の図８の光学シート４０における第１単位形状要素５０の各配置中心５１と同一の位置に決定されており、図１１に示す例での基準点５２は、上述の図９の光学シート４０における第１単位形状要素５０の各配置中心５１と同一の位置に決定されている。
【０１３２】
次に、基準点５２の位置、または、別の第１単位形状要素と接触しないように基準点５２からずらされた位置に、第１単位形状要素５０の一方の面４６上における各配置位置５１が決定される。具体的な手法としては、まず、各基準点５２から、任意の方向へ、０以上所定の上限値（例えば、隣り合う二つの基準点の最小間隔）以下の長さだけずれた位置に、第１単位形状要素５０の配置中心５３（これも仮想的な位置）を仮決めする。この方法においてずれ量が０の場合には、基準点５２の位置に、第１単位形状要素５０の配置中心５３が仮決めされることになる。そして、仮決めされた各配置中心５３に第１単位形状要素５０を配置しても、当該第１単位形状要素５０と別の第１単位形状要素５０とが接触乃至は交叉しない場合には、当該仮決めされた配置中心５３を、第１単位形状要素５０の配置中心５１（現実的的な位置）として採用する。一方、仮決めされた各配置中心に第１単位形状要素５０を配置すると、当該第１単位形状要素５０と別の第１単位形状要素５０とが接触乃至は交叉してしまう場合には、再度、対応する基準点５２から、任意の方向へ、０以上所定の上限値（例えば、隣り合う二つの基準点の最小間隔）以下の長さだけずれた位置に、第１単位形状要素５０の配置中心５３を仮決めし、仮決めされた配置中心５３に第１単位形状要素５０を配置した場合に、第１単位形状要素５０同士の接触が生じるかどうかを確認する。
【０１３３】
なお、仮決めされる配置中心５３までの基準点５２からのずれ量の上限値が、隣り合う二つの基準点の最小間隔（（二つの基準点の配列ピッチ）−（第１単位形状要素５０の底面をなす形状の幅））以下である場合には、仮配置の基準とした基準点５２同士が隣り合う第１単位形状要素５０同士の接触を検討すればよい。一例として、図１０および図１１に示すように基準点５２が配列されている場合、一つの基準点５２を基準として仮配置される一つの第１単位形状要素５０については、当該一つの基準点５２の周囲にある六つの基準点５２を基準として仮配置される六つの第１単位形状要素５０との接触を検討すればよい。
【０１３４】
以上の作業を繰り返して、図１０および図１１に示すように、本体部４５の一方の面４６上における第１単位形状要素５０の各配置中心が決定され、第１単位形状要素５０を本体部４５の一方の面４６上に不規則な配列で配置することができる。このようにして第１単位形状要素５０を本体部４５の一方の面４６上にランダムに配列した場合には、第１単位形状要素の充填率が１０％以下の光学シートに限られず、第１単位形状要素の充填率が１０％を超えるような光学シートにおいても、第１単位形状要素５０が本体部４５上に偏って配置されることに起因した輝度の面内ばらつきの発生を防止しながら、第１単位形状要素５０の配列および第２単位形状要素５５の配列に起因した光学シート４０内におけるモアレを目立たなくせることができる。とりわけ、充填率が１０％以下の光学シート１０においては、基準点５２から仮の配置位置５３までのずれ量の上限値を大きく設定することが可能となり、第１単位形状要素５０の配列および第２単位形状要素５５の配列に起因した光学シート４０内における両単位形状要素５０、５５相互の干渉によるモアレをより効果的に目立たなくせることができる。
【０１３５】
なお、以上のような方法での第１単位形状要素５０の各配置中心の決定は、例えばコンピュータ等を用いて実施され得る。この際、コンピュータ等の負荷を減じるため、光学シート１０を複数の区域に分割して、一つの区域での計算結果の一部または全部を他の区域で利用するようにしてもよい。また、このように複数の区域に分割して第１単位形状要素５０の配置中心を決定する場合には、隣り合う二つの区域間での調整も必要に応じて実施しておくことが好ましい。例えば、一つの区域内において最も縁部に位置する基準点５２を基準として仮決めされた配置中心５３に置かれる第１単位形状要素５０が、同一の区域内に位置する基準点５２を基準として配置される第１単位形状要素５０と接触するか否かを調べるだけでなく、隣り合う他の区域内に位置する基準点５２を基準として配置される第１単位形状要素５０と接触するか否かも調べるようにしてもよい。
【０１３６】
ところで、上述した方法において基準点５２を規則的な配列で位置決めする場合、例えば、本体部４５の一方の面４６上において異なる複数方向の各々に一定ピッチで基準点５２を位置決めする場合には、図１０および図１１に示すように、本体部４５の一方の面４６上において基準点５２が一定のピッチで配列されている複数の方向のうちの最短ピッチでの三つの配列方向ｄ１〜ｄ３が、第２単位形状要素５５の配列方向と交差（傾斜または直交）していること、すなわち、第２単位形状要素５５の配列方向と非平行となっていることが好ましい。さらに、上述した方法において基準点５２を規則的な配列で位置決めする場合、例えば、本体部４５の一方の面４６上において異なる複数方向の各々に一定ピッチで基準点５２を位置決めする場合には、図１１に示すように、本体部４５の一方の面４６上において第１単位形状要素５０が一定のピッチで配列されている複数の方向（例えば第１〜第４方向ｄ１〜ｄ４）が、すべて、第２単位形状要素５５の配列方向と交差（傾斜または直交）していること、すなわち、第２単位形状要素５５の配列方向と非平行となっていることが好ましい。
【０１３７】
このように第１単位形状要素５０を配置する上での基準となる基準点５２の配列方向を第２単位形状要素５５の配列方向に対して位置決めすることによれば、第１単位形状要素５０の配列および第２単位形状要素５５の配列に起因した光学シート４０内におけるモアレをさらに効果的に目立たなくせることができる。また、このように第１単位形状要素５０を配置する上での基準となる基準点５２の配列方向を第２単位形状要素５５の配列方向に対して位置決めすることは、充填率が１０％を超える光学シートであって、例えば、第１単位形状要素５０が積極的にフライアイレンズとして機能し得る程度に充填されている光学シートにおいても、第１単位形状要素５０の配列および第２単位形状要素５５の配列に起因した光学シート４０内におけるモアレを目立たなくせることに有効である。すなわち、シート状の本体部４５と、本体部４５の一方の面４６上に配列された複数の第１単位形状要素５０と、本体部４５の一方の面４６上に配列され、本体部４５のシート面上の一方向と平行に延びる複数の第２単位形状要素５５と、を備えた光学シートにおいても、以上に説明したように、第１単位形状要素５０を配置する上での基準となる基準点５２の配列方向を第２単位形状要素５５の配列方向に対して位置決めすることが有効である。
【０１３８】
なお、図１０および図１１に示す例においては、基準点５２は、図２に示す第１単位形状要素５０の配置中心５１と同様に、互いに対して６０°ずつ傾斜した第１方向ｄ１、第２方向ｄ２および第３方向ｄ３のそれぞれに同一の一定ピッチＰ１で配置されており、同時に、第１〜第３方向ｄ１，ｄ２，ｄ３とは異なるその他の方向（例えば図９における第４方向ｄ４）にも、第１〜第３方向ｄ１，ｄ２，ｄ３における配列ピッチＰ１よりも長い一定ピッチ（例えば図９におけるピッチＰ１ａ）で、配列されている。そして、図１０および図１１に示す例では、本体部４５の一方の面４６上において基準点５２が一定のピッチで配列されている複数の方向のうちの最短ピッチでの配列方向ｄ１〜ｄ３が、第２単位形状要素５５の配列方向に対して交差している。また、図１１に示す例では、本体部４５の一方の面４６上において基準点５２が一定のピッチで配列されている複数の方向が、すべて、第２単位形状要素５５の配列方向に対して交差している。
【０１３９】
さらに、上述した実施の形態において、第２単位形状要素５５が、断面において、二等辺三角形形状を有する例を示したが、これに限られない。例えば、第２単位形状要素５５の断面形状が、諸特性付与等の目的で、三角形形状に変調、変形を加えた形状であってもよい。具体例として、光学機能を適宜調整するために第２単位形状要素５５の断面形状が、図１２に示すように三角形のいずれか一以上の辺が折れ曲がった（屈曲した）形状、三角形のいずれか一以上の辺が湾曲した形状（所謂扇形）、三角形の頂点近傍を湾曲させて丸みを帯びさせた形状、三角形のいずれか一以上の辺に微小凹凸を付与した形状であってもよい。また、第２単位形状要素５５の断面形状が、三角形形状以外の形状、例えば台形等の四角形、五角形、或は六角形等の種々の多角形形状を有するようにしてもよい。さらに、第２単位形状要素５５が、断面において、円または楕円形状の一部分に相当する形状を有するようにしてもよい。
【０１４０】
尚、此処で、三角柱とした第２単位形状要素５５の主切断面である三角形の頂点（近傍）に丸み帯びさせる形態の目的は、該丸みにより光拡散の強化（其の分、正面方向輝度は落ちるが）、及び頂点の力学的強度の向上（頂部の欠損、傷付きの防止）の効果を発現せしめることにある。斯かる頂点の丸みによる効果を十分有効に発現する為には、該丸みの曲率半径は、２μｍ以上、より好ましくは、５μｍ以上とする。又、正面方向輝度の大きな低下を生じ無い為には、該丸みの曲率半径は１２μｍ以下とする。
【０１４１】
一方、三角柱固有の集光機能（正面方向輝度向上）を十分享受する場合には、該頂点は、実質上、丸みを帯び無い形態を採用する。斯かる実質上頂部が丸みを帯び無いとは、第２単位形状要素１２の主切斷面である三角形の頂点の該曲率半径が２μｍ未満、より好ましくは、１μｍ以下である。但し、該頂点の曲率半径が光源光スペクトルの最低波長未満になれば、実質上、該丸みによる幾何光学的な効果は無視し得る。可視光線の最低波長は０．３８μｍである為、該頂点の曲率半径が０．１〜０．３μｍ程度になれば、該頂点の曲率半径は幾何学的に０μｍになったとみなすことが可能であり、敢えてこれ以下に曲率半径を加工する必要は無い。
【０１４２】
さらに、上述した実施の形態において、光学シート４０の第２単位形状要素５５がすべて同一の構成を有する例を示したが、これに限られない。高さ及び断面形状等の少なくとも一つが互いに異なる複数種類の第２単位形状要素５５が、光学シート４０に含まれていてもよい。
【０１４３】
さらに、上述した実施の形態において、隣り合う第２単位形状要素５５が、隣接して隙間無く配置される例を示したが、これに限られず、隣り合う第２単位形状要素５５が隙間を空けて配置され、第１単位形状要素５０および第２単位形状要素５５のいずれも配置されていない領域が、本体部４５の一方の面４６に設けられるようにしてもよい。
【０１４４】
さらに、光学シート４０が光を拡散させる拡散機能を有するようにしてもよい。例えば、本体部４５が一方の面４６と他方の面４７との間に光拡散層（中間マット層）を有するようにしてもよい。このような光拡散層（中間マット層）は、基部と、基部中に分散された光拡散剤と、を有する層として構成され得る。光拡散剤を含む光拡散層は、例えば、光拡散剤が光反射機能を有することにより、あるいは、光拡散剤が基部とは異なる屈折率を有することにより、光拡散機能を付与され得る。また他の例として、本体部４５の他方の面４７が光拡散層（裏面マット層）によって形成されるようにしてもよい。このような光拡散層（裏面マット層）は、上述した中間マット層と同様の光拡散剤を有した層、あるいは、エンボス加工やヘアライン加工等によって形成された凹凸面を有した層として構成され得る。
【０１４５】
さらに、光学シート４０が帯電防止層を含むようにしてもよい。光学シート４０に帯電防止層を加えることにより、本体部４５全体に帯電防止機能を発現させることができる。この変形例によれば、埃等の異物付着を低減することができ、光学特性に与える悪影響を抑制することができる。また、上述した光拡散層が帯電防止機能を有するようにしてもよい。
【０１４６】
さらに、光学シート４０が、最入光側面（入光面４１）をなす反射防止層を含むように形成されていてもよい。光学シート４０の最入光側面が反射防止層によって形成されることにより、光の利用効率を向上させることができる。なお、反射防止層は、出光側に隣接する層（例えば本体部４５）よりも屈折率が低い層（低屈折率層）の単層として形成されていてもよい。あるいは、反射防止層が、屈折率の低い層（低屈折率層）と、当該屈折率の低い層と比較して屈折率の高い層（高屈折率層）と、が交互に配置された複数の層であって、最入光側が屈折率の低い層（低屈折率層）となっている複数の層として、形成されていてもよい。斯かる低屈折率層としては例えば、弗化マグネシウム（ＭｇＦ２）が挙げられ、又高屈折率層としては例えば、酸化ジルコニウム（ＺｒＯ）が挙げられる。さらに、反射防止層が、特開昭５０−７００４０号公報記載の如くの、光波長以下のピッチで配列された複数の入光側の突出する突起であって、各々が入光側に向けて次第に本体部４５のシート面と平行な断面での断面積を小さくしていく、複数の突起を有したモスアイ（moth-eye）型の層として形成されていてもよい。
【０１４７】
さらに、上述した実施の形態において、細長状の第２単位形状要素５５の配列方向と、細長状の光源２５の配列方向が、平行となっている例を示したが、これに限れない。細長状の第２単位形状要素５５の配列方向と、細長状の光源２５の配列方向が、交差していてもよく、一例として直交していてもよい。
【０１４８】
さらに、上述した実施の形態において、面光源装置２０の光源２５の発光部が、線状に延びる冷陰極線管からなる例を示したが、これに限られない。光源２５として、点状のＬＥＤ（発光ダイオード）や面状のＥＬ（電場発光体）等からなる発光部を用いることも可能である。また、上述した実施の形態において、光学シート４０が直下型の面光源装置２０に適用されている例を示したが、これに限られない。上述した光学シート４０を、例えばエッジライト型（サイドライト型等とも呼ばれる）の面光源装置に適用することも可能であり、このような場合においても、光学シート４０は直下型の面光源装置２０に適用された場合と略同様の作用効果を奏することができる。
【０１４９】
さらに、上述した実施の形態において、光学シート４０が組み込まれた面光源装置２０および透過型表示装置１０の全体構成の一例を説明したが、これに限られない。偏光分離フィルム３５や光拡散シート３８を削除または別の部材と置き換えてもよいし、集光シート等の他のシート状部材を追加して面光源装置２０および透過型表示装置１０に組み込むようにしてもよい。
【０１５０】
さらに、光学シート１０の正面方向輝度向上のため、該電離放射線硬化性樹脂の硬化後の屈折率は高い方が好ましく、１．５５以上、より好ましくは１．５８以上の物を選択することができる。上記の如きアクリレート（或いはメタクリレート）系化合物から成る電離放射線硬化性樹脂の場合に於いて、硬化物の屈折率を１．５５以上に高めるための手段としては、例えば、オルトフェノキシアクリレートを含む組成物とすることが挙げられる。
【０１５１】
なお、以上において上述した実施の形態に対するいくつかの変形例を説明してきたが、当然に、複数の変形例を適宜組み合わせて適用することも可能である。
【実施例】
【０１５２】
以下、実施例を用いて本発明をより詳細に説明するが、本発明はこの実施例に限定されるものではない。
【０１５３】
＜第１の調査＞
まず、シミュレーションにより、上述した実施の形態と同様の構成を有した光学シートの出光側における正面方向輝度を調査した。シミュレーションでは、光学シートの充填率を変化させていき、この充填率の変化にともなった正面方向輝度の変化を調査した。
【０１５４】
シミュレーション対象とした光学シートは、本体部と、本体部の一方の面上に設けられた、フライアイレンズを構成する、少なくとも三個以上の第１単位形状要素と、本体部の一方の面上に配列され、各々が本体部のシート面上の一方向と平行に延びる、複数の第２単位形状要素と、を備えるようにした。第１単位形状要素の一方の面からの高さが、第２単位形状要素の一方の面からの高さよりも高くなるようにした。また、本体部の一方の面の全面が、第１単位形状要素および第２単位形状要素のいずれかによって覆われているようにした。
【０１５５】
図１４には、シミュレーション結果のうちの代表的な一例が示されている。図１４に示された結果は、単位形状要素の構成（形状や寸法）等の充填率以外の条件を同一にした複数の光学シートについて調査したものである。また、図１４に示された結果は、光源等の光学シート以外の条件も同一にして調査した。なお、図１４に示された結果は、第１単位形状要素および第２単位形状要素の断面形状や配列方法を上述した実施の形態と同一にした光学シートについての結果である。すなわち、このシミュレーションにおいて、第１単位形状要素は、球または回転楕円体の一部分を含む形状を有し、第２単位形状要素は、断面直角二等辺三角形形状を有するようにした。
【０１５６】
シミュレーション結果として図１４に示されたグラフは、片対数グラフであり、縦軸に正面方向の輝度比（％）をとり、対数軸である横軸に充填率（％）をとっている。輝度比は、充填率が０％であり、第２単位形状要素のみが本体部の一方の面上に配置された光学シート（いわゆるプリズムシート）であって、第１単位形状要素が設けられていない点のみにおいてシミュレーション対象となった他の光学シートと構成が異なる光学シートについて調査された正面方向輝度に対する比とした。
【０１５７】
図１４に示されているように、全体的な傾向として、充填率の減少にともない、輝度比が１００％に収束するかのようにしだいに上昇していった。より正確には、充填率が低くない領域では、充填率が０％に近付くにつれてしだいに輝度比の値が１００％に収束していく漸近線を画定するように、シミュレーション結果として得られたデータがグラフ上にプロットされた。なお、図１４では、片対数グラフを用いて、低充填領域におけるデータを多く示すようにしているが、シミュレーション結果として得られたデータを通常のグラフ上にプロットした場合に、このような漸近線がより明瞭に確認される。
【０１５８】
その一方で、充填率が低い領域では、その他の領域とは若干異なる異質な傾向を呈するようになった。具体的には、充填率が低い領域におけるシミュレーション結果では、充填率が低くなるにつれて、グラフ上において輝度比が前記漸近線からいったん離れていき、その後、この漸近線とは別の経路で輝度比が１００％に近付いていくようになった。図１４のグラフ上において、シミュレーション結果として得られた低充填領域での輝度比は、前記漸近線から輝度比が高くなる側にずれている。とりわけ、充填率が１０％以下の領域においては、シミュレーション結果として得られた輝度比が、１００％以上となり、第２単位形状要素のみが本体部の一方の面上に配置された光学シート（いわゆるプリズムシート）を用いた場合と同等以上の正面方向輝度が確保される結果となった。
【０１５９】
＜第２の調査＞
次に、実施例１〜５に係る透過型表示装置、並びに、比較例１および比較例２に係る透過型表示装置を実際に作製し、作製された透過型表示装置について、正面方向輝度および耐擦傷性を評価した。
【０１６０】
〔透過型表示装置の構成〕
実施例１〜５に係る透過型表示装置、並びに、比較例１および比較例２に係る透過型表示装置は、上述した実施の形態と同様に、面光源装置および液晶表示パネル（透過型表示部）を有するように構成した。図１３に示すように、実施例１〜５に係る透過型表示装置並びに比較例１および比較例２に係る透過型表示装置において、面光源装置は、上述した実施の形態と同様に、細長状に延びる複数の冷陰極管からなる光源と、光源を取り囲む反射板と、光源の出光側に配置された光拡散シートと、光拡散シートの出光側に配置された光学シートと、光学シートの出光側に配置された偏光分離フィルムと、を有するようにした。実施例１〜５に係る透過型表示装置、並びに、比較例１および比較例２に係る透過型表示装置において、光学シート以外の面光源装置の部材は、互いに同一のものを使用した。また、実施例１〜５に係る透過型表示装置、並びに、比較例１および比較例２に係る透過型表示装置において、液晶表示パネルも互いに同一のものを使用した。
【０１６１】
光拡散シートは、基部と、基部とは異なる屈折率を有し基部中に分散された光拡散性粒子と、から構成されていた。偏光分離フィルムは、米国３Ｍ社から入手可能な「ＤＢＥＦ」（登録商標）から構成されていた。なお、光学シート以外の、光拡散シート、偏光分離フィルム、光源、反射板および透過型表示部は、市販されている液晶表示装置に組み込まれていたものを使用した。
【０１６２】
実施例１〜５に係る透過型表示装置および比較例２に係る透過型表示装置において、光学シートは、上述した実施の形態における光シートと同様に、シート状の本体部と、本体部の一方の面上に設けられたフライアイレンズを構成する第１単位形状要素と、本体部の一方の面上に配列され、各々が本体部のシート面上の一方向と平行に延びる、複数の第２単位形状要素と、を有するように構成した。一方、比較例１に係る透過型表示装置の光学シートは、第１単位形状要素が設けられていない点において、他の透過型表示装置の光学シートと異なるようにした。
【０１６３】
実施例１〜５に係る透過型表示装置および比較例２に係る透過型表示装置の光学シートにおいて、第１単位形状要素の配列は、上述の実施の形態で説明した配列（図２参照）と同様にした。また、第１単位形状要素は半球状に構成した。実施例１〜５に係る透過型表示装置並びに比較例１および比較例２に係る透過型表示装置の光学シートにおいて、第２単位形状要素の配列方向と光源（冷陰極管）の配列方向とが平行となるようにした。また、各透過型表示装置の光学シートにおいて、第２単位形状要素は、その配列方向にそって隙間なく並べた。さらに、各透過型表示装置の光学シートにおいて、第２単位形状要素は、正面方向を中心として対称となるようにして配置された直角二等辺三角形状を断面形状として有すようにし、且つ、断面三角形形状の頂角に面取りを施さなかった。
【０１６４】
各透過型表示装置における、光学シートの形状寸法および配列間隔は、表１に示すとおりとした。表１において、「屈折率」は、第１単位形状要素および第２単位形状要素をなす材料の屈折率である。表１中の「Ｗ１」は、本体部上において第１単位形状要素の底面をなす円の直径の値であり、図２および図４に示されたＷ１に対応する寸法である。表１中の「Ｈ１」および「Ｈ２」は、それぞれ、第１単位形状要素および第２単位形状要素の本体部からの法線方向に沿った高さであり、図４に示されたＨ１およびＨ２に対応する寸法である。表１中の「充填率」は、光学シートを法線方向ｎｄに沿って出光面側から観察した場合における、本体部の一方の面のうちの第１単位形状要素によって被覆されている領域の割合である。表１中の「頂角Ｒ」は、第２単位形状要素の主切断面における断面形状をなす三角形の頂部に形成された丸味の半径の大きさである（製造条件等に起因して形成された面取りＲに相当）。表１中の「Ｐ２」は、第２単位形状要素の配列方向に沿った第２単位形状要素の配列ピッチの大きさであり、図２および図４に示されたＰ２に対応する寸法である。
【０１６５】
〔評価方法〕
（評価方法１）
実施例１〜５に係る透過型表示装置並びに比較例１および比較例２に係る透過型表示装置によって全面白色を表示した状態で、正面方向輝度（ｃｄ／ｍ2）の測定を行った。輝度の測定には、トプコン製のＢＭ−７を用いた。輝度測定結果を表１に示す。表１においては、比較例１の透過型表示装置についての測定値に対する、各透過型表示装置についての測定値の割合を百分率で表している。実施例１〜５に係る透過型表示装置の正面方向輝度は、比較例１に係る透過型表示装置の正面方向輝度以上となった。また、上述の図１４に示されたシミュレーション結果における正面方向輝度と充填率との関係は、表１における実測された正面方向輝度と充填率との関係と、同様の傾向であることが確認された。
【０１６６】
（評価方法２）
実施例１〜５に係る透過型表示装置並びに比較例１および比較例２に係る透過型表示装置の各光学シートに対し、次のような耐擦傷性試験を行った。まず、光学シートの単位形状要素が突出している側の面上にシート状の摩擦物を配置した。ここで、摩擦物は、透過型表示装置に組み込まれているシート状部材（大日本印刷株式会社製の下偏光フィルムＨ２５）とし、このシート状部材のマット面が光学シートに接触するようにした。面積３．１４ｍｍ２である摩擦物の領域上に３００ｇの重りを配置した。この状態から、重りを配置された摩擦物に対して光学シートを掃引し、光学シートを摩擦物に対して相対移動させた。光学シートの掃引は、２０００ｍ／ｍｉｎの速度で、第２単位形状要素の配列方向と平行な方向に行った。掃引は、５ｃｍの区間を１．５往復分行った。重りおよび摩擦物を取り除いた後の光学シートに目視で視認可能な擦傷痕が形成されているかを確認した。表１に示すように、実施例１〜５に係る透過型表示装置および比較例２に係る透過型表示装置の光学シートには擦傷痕が形成されていなかったが、比較例１に係る透過型表示装置の光学シートには目立つ擦傷痕が形成されていた。
【表１】
2011180574.tif 000003
【０１６７】
＜第３の調査＞
サンプル１〜１５に係る光学シートを作製した。作製された光学シートについてモアレの発生について調査した。
【０１６８】
〔光学シート〕
サンプル１〜１５に係る光学シートは、上述した実施の形態における光学シートと同様に、シート状の本体部と、本体部の一方の面上に設けられた第１単位形状要素と、本体部の一方の面上に配列され、各々が本体部のシート面上の一方向と平行に延びる、複数の第２単位形状要素と、を有するように構成した。各光学シートにおいて、第１単位形状要素は半球状に構成した。各光学シートにおいて、第２単位形状要素は、正面方向を中心として対称となるようにして配置された直角二等辺三角形状を断面形状として有すようにし、且つ、断面三角形形状の頂角に面取りを施さなかった。また、各光学シートにおいて、第２単位形状要素は、その配列方向にそって隙間なく並べた。光学シートの形状寸法は、表２に示すとおりとした。
【０１６９】
表２において、「Ｗ１」は、本体部上において第１単位形状要素の底面をなす円の直径の値であり、図２および図４に示されたＷ１に対応する寸法である。表２中の「Ｈ１」および「Ｈ２」は、それぞれ、第１単位形状要素および第２単位形状要素の本体部からの法線方向に沿った高さであり、図４に示されたＨ１およびＨ２に対応する寸法である。表２中の「充填率」は、光学シートを法線方向ｎｄに沿って出光面側から観察した場合における、本体部の一方の面のうちの第１単位形状要素によって被覆されている領域の割合である。
【０１７０】
サンプル１〜８に係る光学シート並びにサンプル１１および１２に係る光学シートでは、第１単位形状要素を本体部の出光側面上に不規則的な配列で配置した。第１単位形状要素の本体部の出光側面上における各配置位置は、図１０および図１１を参照して説明したように、本体部の出光側面上に規則的な配列で位置決めされた基準点の位置から、０以上で予め設定した上限値以下の長さだけ、本体部の出光側面に沿ったランダムに決定される方向へ、別の単位形状要素に接触しないようにずらした位置に決定した。なお、基準点は、図１０および図１１に示すように、本体部の出光側面上において互いに対して６０°傾斜した方向の各々に、互いに同一の一定のピッチで配列されるように、位置決めした。
【０１７１】
サンプル１〜８に係る光学シート並びにサンプル１１および１２に係る光学シートについて、表２における第１単位形状要素に関する「ピッチ」には、基準点の配列ピッチであって、図１０および図１１に示されたＰ１に対応する寸法を示している。表２における第１単位形状要素に関する「ずれ量」には、第１単位形状要素の配置位置を決定する際に、基準点からランダムな方向へずらされる量の上限の値を示している。また、サンプル１〜８に係る光学シート並びにサンプル１１および１２に係る光学シートについて、表２における「バイアス角」は、基準点が一定のピッチで配列されている方向のうちの最短のピッチで配列されている方向が、第２単位形状要素の長手方向に対してなす本体部の出光側面上における角度である。
【０１７２】
なお、図１０および図１１に示された基準点の配列方法では最短のピッチでの基準点の配列方向は複数存在する。そして、複数の配列方向がそれぞれ第２単位形状要素の長手方向となす角度のうちの最小の角度のことをバイアス角度とし、具体的には図１１における角度θｘが表２における「バイアス角」に相当する。なお、図１０に示された例では、最短のピッチでの基準点の配列方向の一つ（図１０における第２方向ｄ２）が、第２単位形状要素の長手方向と平行となっており、したがって、図１０に示された例におけるバイアス角度は０°となる。
【０１７３】
サンプル９に係る光学シートでは、上述の図９に示された配列で、第１単位形状要素を本体部の出光側面上に規則的な配列で配置した。サンプル９に係る光学シートについて、表２における第１単位形状要素に関する「ピッチ」は、第１単位形状要素の配列ピッチのことであり、図９に示されたＰ１に対応する寸法である。サンプル９に係る光学シートについて、表２における「バイアス角」は、第１単位形状要素が一定のピッチで配列されている方向のうちの最短のピッチで配列されている方向が、第２単位形状要素の長手方向に対してなす本体部の出光側面上における角度のことである。
【０１７４】
なお、図９に示された第１単位形状要素の配列方法では最短のピッチでの第１単位形状要素の配列方向は複数存在する。そして、複数の配列方向がそれぞれ第２単位形状要素の長手方向となす角度のうちの最小の角度のことをバイアス角度としており、具体的には、「バイアス角」は図９に示されたθｘの角度のことである。
【０１７５】
サンプル１０，１３〜１５に係る光学シートでは、上述の図８に示された配列で、第１単位形状要素を本体部の出光側面上に規則的な配列で配置した。サンプル１０，１３〜１５に係る光学シートについて、表２における第１単位形状要素に関する「ピッチ」は、第１単位形状要素の配列ピッチのことであり、図８に示されたＰ１に対応する寸法である。サンプル１０，１３〜１５に係る光学シートについては、第１単位形状要素の最短ピッチでの配列方向の一つ（図８における第２方向ｄ２）が、第２単位形状要素の長手方向と平行になっているため、表２における「バイアス角」は０°とした。
【０１７６】
〔評価方法〕
各サンプルに係る光学シートを評価テーブル（DOJIN KOKI MFG Co,Ltd「スチールライトテーブルKLT-L406LC-F」）の曇りガラス上に載置し、評価テーブルに内蔵された６本の４０Ｗ蛍光灯によって曇りガラス越しに光学シートを照明した状態で、光学シートにモアレが目視で確認できるか否かについて調査した。評価結果を、表２に◎、○、△および×で示す。なお、いずれの方向から観察してもモアレが視認されなかったサンプルに対して、◎を付した。光学シートを凝視することによって限られた方向からモアレがうっすら観察されたサンプルに対して、○を付した。表示装置用の光学シートとしての製品検査としては合格レベルであるが、光学シートを凝視することによって、○を付したサンプルよりもモアレが目立って観察されたサンプルに対して、△を付した。注意深く観察することなくモアレの存在が確認されたサンプルに対して、×を付した。ただし、×を付したサンプルに係る光学シートにおいても、モアレの発生の程度は弱く、例えば、面光源装置用光拡散シートとの組み合わせで使用されることにより、モアレが目立たなくなるものもあった。
【０１７７】
第１単位形状要素が規則的な配列で配置されている場合、バイアス角を０°以外に設定すると、すなわち、第１単位形状の配列方向を第２単位形状要素の長手方向に対して傾斜させると、モアレが目立たなくなる傾向があった。また、第１単位形状要素が不規則的な配列で配置されている場合、バイアス角を０°以外に設定すると、すなわち、第１単位形状要素の配置位置を決定する基準となる基準点の配列方向を第２単位形状要素の長手方向に対して傾斜させると、モアレが目立たなくなる傾向があった。さらに、第１単位形状要素が不規則的な配列で配置されている場合、ずれ量が大きくなると、モアレが目立たなくなる傾向があった。これらの傾向は、充填率が１０％以下の光学シートだけでなく、充填率が１０％を超える光学シートについても、現れた。
【表２】
2011180574.tif 000004
【０１７８】
＜第４の調査＞
次に、面光源装置と、面光源装置上に配置された下偏光板と、からなる仮想の表示装置を実際に作製し、作製された仮想表示装置について、正面方向輝度を評価した。
【０１７９】
〔表示装置の構成〕
仮想の表示装置に含まれた面光源装置は、上述した実施の形態と同様に、細長状に延びる複数の冷陰極管からなる光源と、光源の背後に配置された反射板と、光源の出光側に配置された光拡散シート（拡散板）と、光拡散シートの出光側に配置された光学シートと、を有するようにした。仮想表示装置の構成要素のうち、光学シート以外の面光源装置の部材および下偏光板は、実際に市販されている液晶表示装置（液晶テレビ）に組み込まれているものであって、各仮想表示装置間で互いに同一のものを使用した。
【０１８０】
光学シートは、シート状の本体部と、本体部の一方の面上に互いに平行となるように設けられた直線状に延びる多数の単位プリズムと、を有するようにした。単位プリズムは、上述した実施の形態と同様に、主切断面における断面形状が、正面方向を中心として対称的に配置された直角二等辺三角形形状となるように、構成した。一つの光学シートに含まれる多数の単位プリズムは互いに同一に構成し、且つ、各光学シート間でも、単位プリズムは互いに同一に構成した。また、各光学シートにおいて、単位プリズムは、本体部上に、隙間なく配列されるようにした。
【０１８１】
各光学シートは、上述した実施の形態において図５〜図７を参照しながら説明した製造方法と概ね同様にして、シート材上に単位プリズムを成型することによって作製した。本体部の一部分をなすシート材として、二軸延伸ＰＥＴフィルムを用いた。そして、異なる仮想表示装置に組み込まれる光学シート間で、二軸延伸ＰＥＴフィルムの延伸軸と単位プリズムの稜線の方向（単位プリズムの長手方向）との角度を種々変化させた。また、すべての仮想表示装置において、下偏光板は、各光学シートの単位プリズムの稜線の方向と下偏光板の透過軸（偏光軸）とが平行となるように、光学シートを含む面光源装置に対して位置決めした。すなわち、下偏光板の透過軸と光学シートの単位プリズムの長手方向とがなす角度は、各仮想表示装置の間で、０°で一致しており、その一方で、下偏光板の透過軸と光学シートの本体部に含まれる二軸延伸ＰＥＴフィルムの延伸軸とがなす角度は、各仮想表示装置の間で、種々異なるようにした。
【０１８２】
なお、下偏光板の透過軸および二軸延伸ＰＥＴフィルムの延伸軸は、透過軸が特定された標準偏光板を用いて、予め特定しておいた。具体的には、下偏光板または二軸延伸ＰＥＴフィルムに対して別途の標準偏光板を重ね合わせ、重なり合った部分が最も暗くなる状態まで、下偏光板または二軸延伸ＰＥＴフィルムと別途の標準偏光板との向きをずらしていった。そして、最も暗くなる状態における別途の標準偏光板の透過軸と直交する方向を、下偏光板の透過軸および二軸延伸ＰＥＴフィルムの延伸軸として特定した。
【０１８３】
〔評価方法〕
各仮想表示装置の光源を点灯した状態で、下偏光板の出光面での正面方向輝度（ｃｄ／ｍ2）の測定を行った。輝度の測定には、トプコン製のＢＭ−７を用いた。輝度測定結果を図１５に示す。また、各仮想表示装置の面光源装置の光学シートの出光側に偏光分離フィルム（米国３Ｍ社製の「ＤＢＥＦ」（登録商標））を配置して、同様に正面方向輝度を測定した結果を図１６に示す。図１５および図１６において、縦軸は、測定された輝度の値を比で表しており、横軸は、正面方向から観察した場合における下偏光板の透過軸と光学シートに含まれる二軸延伸ＰＥＴフィルムの延伸軸とによってなされる角度を表している。
【０１８４】
二軸延伸ＰＥＴフィルムの延伸軸と下偏光板の偏光軸とを傾斜させることにより、二軸延伸ＰＥＴフィルムの延伸軸と下偏光板の偏光軸とが平行となっている場合（二軸延伸ＰＥＴフィルムの延伸軸と下偏光板の偏光軸とによってなされる角度の絶対値が０°となる場合）と比較して、正面方向輝度を向上させることができた。とりわけ、二軸延伸ＰＥＴフィルムの延伸軸と下偏光板の偏光軸とによってなされる角度の絶対値が０°より大きく５０°以下となる場合には、二軸延伸ＰＥＴフィルムの延伸軸と下偏光板の偏光軸とが平行となっている場合よりも高い正面方向輝度を確保することができた。さらに、二軸延伸ＰＥＴフィルムの延伸軸と下偏光板の偏光軸とによってなされる角度の絶対値が２０°以上４５°以下となる場合には、優れた正面方向輝度を確保することができた。
【符号の説明】
【０１８５】
１０  透過型表示装置
１５  透過型表示部
２０  面光源装置
２５  光源
２８  反射板
３５  偏光分離フィルム
３８  光拡散シート
４０  光学シート
４１  入光面
４５  本体部
４６  一方の面
４７  他方の面
５０  第１単位形状要素
５１  配置中心
５２  基準点
５５  第２単位形状要素
【図１】
2011180574.tif 000005
【図２】
2011180574.tif 000006
【図３】
2011180574.tif 000007
【図４】
2011180574.tif 000008
【図５】
2011180574.tif 000009
【図６】
2011180574.tif 000010
【図７】
2011180574.tif 000011
【図８】
2011180574.tif 000012
【図９】
2011180574.tif 000013
【図１０】
2011180574.tif 000014
【図１１】
2011180574.tif 000015
【図１２】
2011180574.tif 000016
【図１３】
2011180574.tif 000017
【図１４】
2011180574.tif 000018
【図１５】
2011180574.tif 000019
【図１６】
2011180574.tif 000020